(57)【要約】【課題】ディスク本体が内装される筐体を備えたディスクを、梱包手間をかけずに収納でき、かつケースからディスクを取り出し易いディスク収納体を提供すること。【解決手段】ディスク本体が内装される筐体を備えたディスクＤが収納される収納部１と、この収納部１のディスク収納用の開口を塞ぐ蓋部２とを備えたディスク収納体において、収納部１は、ディスクＤの外周の少なくとも一部を囲み、収納部１の底面から立ち上がる起立壁１３と、この起立壁１３の壁側面からディスクＤを挟んで互いに対向して突出形成され、収納されたディスクＤを収納部１の開口側から該収納部の底面側に押圧固定する一対の係止爪１２と、この一対の係止爪１２を結ぶ線Ａを挟んで互いに反対側の離れた位置に形成され、ディスクＤの底面を支持する複数の支持突起１３とを備えている。【選択図】  図１
2005350140.tif 000002
【特許請求の範囲】
【請求項１】
筐体内にディスク本体を内装したディスクが収納される収納部と、この収納部のディスク収納用の開口を塞ぐ蓋部とを備えたディスク収納体であって、
前記収納部は、
収納されたディスクの外側で前記収納部底面から起立して形成され、収納されたディスクを収納部に固定する可撓性を有する複数の係止爪と、
前記収納部底面から起立して形成され、収納されたディスクを前記収納部底面から浮かした状態で支持する支持突起とを備えていることを特徴とするディスク収納体。
【請求項２】
筐体内にディスク本体を内装したディスクが収納される収納部と、この収納部のディスク収納用の開口を塞ぐ蓋部とを備えたディスク収納体であって、
前記収納部は、
前記ディスクの外周の少なくとも一部を囲み、前記収納部底面から立ち上がる起立壁と、
この起立壁の壁側面から前記ディスクを挟んで互いに対向して突出形成され、収納された前記ディスクを前記収納部の開口側から該収納部の底面側に押圧固定する一対の係止爪と、
この一対の係止爪を結ぶ線とは離れた位置に形成され、前記ディスクの底面の一部を支持する複数の支持突起とを備えていることを特徴とするディスク収納体。
【請求項３】
請求項１または請求項２に記載のディスク収納体において、
前記支持突起は、前記ディスクの一端側が収納部底面に向かって押圧されたとき、ディスクの他端側が前記収納部底面から突出する方向にディスクが傾くように配置されていることを特徴とするディスク収納体。
【請求項４】
請求項３に記載のディスク収納体において、
前記一対の係止爪は、収納されるディスクの直径方向両端を押圧固定する位置に突設され、かつ、前記ディスクの一端側が収納部底面に向かって押圧され、ディスクの他端側が前記収納部底面から突出する方向にディスクが傾いたとき、ディスクの直径方向両端を弾性的に挟持可能な高さ位置に配置されていることを特徴とするディスク収納体。
【請求項５】
請求項２〜４のいずれかに記載のディスク収納体において、
前記一対の係止爪は、収納されるディスクのディスク本体の直径方向両端を押圧固定する位置に突設され、
前記複数の支持突起のそれぞれは、前記一対の係止爪を結ぶ線に沿って延びる突条であることを特徴とするディスク収納体。
【請求項６】
請求項５に記載のディスク収納体において、
前記突条は、前記一対の係止爪を結ぶ線を中心として略対称な位置に形成されていることを特徴とするディスク収納体。
【請求項７】
請求項６に記載のディスク収納体において、
前記一対の係止爪は、収納されるディスクの筐体端縁近傍に形成され、
この筐体端縁と向き合う他の筐体端縁には、該筐体を厚さ方向で挟持する係止部が設けられていることを特徴とするディスク収納体。
【請求項８】
請求項２〜請求項７のいずれかに記載のディスク収納体において、
前記係止爪の前記ディスクとの当接面は、該ディスク外側に向かうに従って、前記収納部底面に接近する傾斜面とされていることを特徴とするディスク収納体。
【請求項９】
請求項２〜請求項８のいずれかに記載のディスク収納体において、
前記収納部底面には、前記ディスク本体の回転中心に応じた位置に面外方向に突出し、前記ディスクが前記一対の係止爪に取り付けられると、該ディスク本体を面外方向に付勢して前記筐体内で前記ディスク本体が移動するのを規制する移動規制部が設けられていることを特徴とするディスク収納体。
【請求項１０】
請求項１〜請求項９のいずれかに記載のディスク収納体において、
前記ディスクには、電子機器により実行可能なプログラムが記録され、
このプログラムの進行状態は、別の記録媒体により保存可能とされ、
前記収納部には、前記ディスクが収納される位置とは別な位置に、前記記録媒体を装着する記録媒体装着部が設けられていることを特徴とするディスク収納体。
【請求項１１】
請求項１〜請求項１０のいずれかに記載のディスク収納体において、
前記係止爪は、前記収納部の底面から立ち上がる起立部と、前記ディスクの筐体に当接する爪部と、前記起立部及び爪部の間に形成され、前記起立部から蛇行しながら前記ディスク側面に向かう蛇行部とを備え、
この蛇行部の先端は、前記起立壁よりも前記収納部内側に突出していることを特徴とするディスク収納体。
【請求項１２】
請求項１〜請求項１１のいずれかに記載のディスク収納体において、
前記蓋部には、該蓋部が収納部のディスク収納用の開口を塞いだ状態において、収納部に収納されたディスクが脱落するのを防止する押さえ部が設けられ、
この押さえ部は、前記蓋部底面から起立する起立部と、この起立部の先端から蓋部底面と略平行に延出された延出部と、この延出部の先端から延出部基端側へ向かってかつ蓋部底面に向かって延出する挟持部とを備えることを特徴とするディスク収納体。
【請求項１３】
筐体内にディスク本体を内装したディスクが収納される収納部と、この収納部のディスク収納用の開口を塞ぐ蓋部とを備えたディスク収納体であって、
前記収納部は、
前記ディスクの筐体の外周形状に沿って、前記収納部底面から起立し、該ディスクを支持する支持突起と、
この支持突起の外側に該収納部底面から起立して形成され、該収納部に収納された前記ディスクを、該収納部の開口側から底面側に押圧固定し、かつ、該ディスクに対して内向きの付勢力を作用させる可撓性の複数の係止爪と備え、
前記支持突起は、前記ディスクの外周寸法より小さく形成されていることを特徴とするディスク収納体。
【請求項１４】
請求項１３に記載のディスク収納体において、
前記支持突起は、略平行な一対の直線部と、各直線部の同じ側の一方の端部同士を連結し、該一対の直線部間を直径とする略半円形状の第１円弧状部と、この第１円弧状部の直径となる前記直線部間の中心から該第１円弧状部の端縁略中央を通る直線上で、かつ、該第１円弧状部の外側の一点を中心とする円弧状に構成され、前記一対の直線部の他方の端部同士を連結する第２円弧状部とを備え、
前記複数の係止爪は、前記第１円弧状部および第２円弧状部のそれぞれの端縁略中央を結ぶ線を中心として互いに略対称に配置されていることを特徴とするディスク収納体。
【請求項１５】
請求項１４に記載のディスク収納体において、
前記係止爪は、前記第１円弧状部側および第２円弧状部側に、それぞれ２箇所ずつ設けられていることを特徴とするディスク収納体。
【請求項１６】
請求項１５に記載のディスク収納体において、
前記第１円弧状部側に設けられた一対の係止爪の間の距離は、前記第２円弧状部側に設けられた一対の係止爪の間の距離より小さいことを特徴とするディスク収納体。
【請求項１７】
請求項１５または請求項１６に記載のディスク収納体において、
前記第１円弧状部側に設けられた一対の係止爪は、各係止爪と、該係止爪に装着される前記ディスクの回転中心とを結ぶ線が互いに略９０°をなす位置に配置されていることを特徴とするディスク収納体。
【請求項１８】
請求項１３〜請求項１７のいずれかに記載のディスク収納体において、
前記それぞれの係止爪は、該係止爪による前記ディスクの係合箇所の接線に対して略平行に配置されていることを特徴とするディスク収納体。
【請求項１９】
請求項１４〜請求項１８のいずれかに記載のディスク収納体において、
前記収納部底面には、前記一対の直線部に沿って前記支持突起の外側に前記収納部底面から起立し、前記ディスクを案内する一対のディスク案内部が設けられていることを特徴とするディスク収納体。
【請求項２０】
情報処理装置に情報を提供するための情報提供体であって、
情報処理装置に提供するための情報を記録したディスクと、このディスクを収容するディスク収納体とを備え、
前記ディスク収納体は、請求項１３から請求項１９のいずれかに記載のディスク収納体であり、
前記ディスクは、前記収納部に収納されていることを特徴とする情報提供体。
【発明の詳細な説明】
【技術分野】
【０００１】
本発明は、筐体内にディスク本体を内装したディスクが収納される収納部と、この収納部のディスク収納用の開口を塞ぐ蓋部とを備えたディスク収納体、および、このディスク収納体を備えた情報提供体に関する。
【背景技術】
【０００２】
近年、音声情報、映像情報や、ゲーム等のソフトウェアを記録する記録媒体として、ＣＤ（Compact Disk)、ＤＶＤ(Digital Versatile Disk）等の光ディスクが多用され、これらの音声情報、映像情報等を記録した光ディスクは、ケース等に梱包されビデオテープ代替の商品として広く流通している。
このような光ディスクのケースとしては、例えば、ディスクを収納する収納部と、この収納部のディスク収納用の開口を塞ぐ蓋部とを一体成形し、収納部に可撓性の係合片を形成し、この係合片に光ディスクのセンター孔を装着するケースが知られている（例えば、特許文献１参照）。
ケースから光ディスクを取り出す際には、係合片を押圧して変形させると、光ディスクを係合片から取り外すことができる。
【０００３】
【特許文献１】特開２００１−５８６８９号公報（図１、要約書）
【発明の開示】
【発明が解決しようとする課題】
【０００４】
ところで、このような光ディスクには、ディスク本体そのままではなく、光磁気ディスクのようにディスク本体が内装される筐体を備えているものがある。このような筐体を備えた光ディスクを収納する場合、ディスク本体のセンター孔に係合片を装着することができず、単にケースに収納した場合、搬送等に際し内部で光ディスクが動くことがある。これを防止するには、ケース内部にパッキン等を入れる必要があり、梱包手間がかかる上、光ディスクの開封後に残材が出てしまうという問題がある。
また、ケースにディスクを囲む壁や凹部を設け、この部分に光ディスクを装着して動きを防止するような方法も考えられるが、ケース内で光ディスクが動かないようにするには、クリアランスを小さくしなければならず、光ディスクをケースから取り出しにくいという問題がある。
【０００５】
本発明の目的は、ディスク本体が内装される筐体を備えたディスクを、梱包手間をかけずに収納でき、かつケースからディスクを取り出し易いディスク収納体、および、情報提供体を提供することにある。
【課題を解決するための手段】
【０００６】
本発明のディスク収納体は、筐体内にディスク本体を内装したディスクが収納される収納部と、この収納部のディスク収納用の開口を塞ぐ蓋部とを備えたディスク収納体であって、前記収納部は、収納されたディスクの外側で前記収納部底面から起立して形成され、収納されたディスクを収納部に固定する可撓性を有する複数の係止爪と、前記収納部底面から起立して形成され、収納されたディスクを前記収納部底面から浮かした状態で支持する支持突起とを備えていることを特徴とする。
【０００７】
ここで、ディスク本体は、ＣＤ、ＣＤ−ＲＯＭ、ＣＤ−Ｒ、ＣＤ−ＲＷおよびＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭ等の光ディスク、ＭＯディスク（光磁気ディスク）、磁気ディスクおよびレコード等を挙げることができる。
本発明によれば、収納部に収納されるディスクは、支持突起によって、収納部底面から浮かした状態で支持され、かつ、複数の係止爪によって収納部底面側に向かって押圧固定される。これによれば、係止爪が設けられた箇所を除いた収納部のどこからでも、ディスク端面に指をかけることができるので、収納部に収納されたディスクの取り出しを容易にすることができる。
すなわち、ディスクは、支持突起によって、収納部底面から浮かした状態で支持されているから、ディスクを収納部から取り出す際には、ディスク端面からディスク底面にかけて指がかかることとなるので、ディスクを上方に向かって持ち上げやすくすることができる。従って、収納部からのディスクの取り出しを一層容易にすることができる。
【０００８】
本発明のディスク収納体は、筐体内にディスク本体を内装したディスクが収納される収納部と、この収納部のディスク収納用の開口を塞ぐ蓋部とを備えたディスク収納体であって、前記収納部は、前記ディスク本体の外周の少なくとも一部を囲み、前記収納部底面から立ち上がる起立壁と、この起立壁の壁側面から前記ディスクを挟んで互いに対向して突出形成され、収納された前記ディスクを前記収納部の開口側から該収納部の底面側に押圧固定する一対の係止爪と、この一対の係止爪を結ぶ線とは離れた位置に形成され、前記ディスクの底面の一部を支持する複数の支持突起とを備えていることを特徴とする。
【０００９】
ここで、前記支持突起は、前記ディスクの一端側が収納部底面に向かって押圧されたとき、ディスクの他端側が前記収納部底面から突出する方向にディスクが傾くように配置されていることが好ましい。
本発明によれば、起立壁と係止爪とにより、ディスクが押さえつけられた状態で収納部内に固定されるため、搬送中に動くこともなく、梱包材を別途用意することなく、光ディスクをディスク収納体内で動かないように収納することができる。一方、ディスクを収納部から取り出す際には、ディスクの一端側を上から押せば、テコの原理によってディスクの他端側が起きあがり、係止爪での係合が外れて簡単に収納体からディスクを取り出すことができる。
【００１０】
本発明では、前記一対の係止爪は、収納されるディスクの直径方向両端を押圧固定する位置に突設され、かつ、前記ディスクの一端側が収納部底面に向かって押圧され、ディスクの押圧側とは反対側が前記収納部底面から突出する方向にディスクが傾いたとき、ディスクの直径方向両側面を弾性的に挟持可能な高さ位置に配置されていることが好ましい。
本発明によれば、ディスクの一端側を収納部底面に向かって押圧すると、ディスクの他端側が収納部底面から突出する方向にディスクが傾く。このとき、一対の係止爪によってディスクの直径方向両端が弾性的に挟持されているため、つまり、一対の係止爪の挟持力によってディスクがディスク収納体に保持されているから、例えば、ディスク収納体を傾いた姿勢に保ったまま、ディスクを収納部から取り出す際にも、ディスクがディスク収納体から落下するのを防止できる。
【００１１】
本発明では、一対の係止爪は、収納されるディスクの直径方向両端を押圧固定する位置に突設され、前述の複数の突起のそれぞれは、一対の係止爪を結ぶ線に沿って延びる突条であるのが好ましい。
本発明によれば、突条が係止爪同士を結ぶ線に沿って延びているので、突条以外のディスクの外周部分のどこを押しても、係止爪の係合を外す力を作用させることができ、一層簡単に収納体からディスクを取り外すことが可能となる。
【００１２】
本発明では、一対の係止爪が収納されるディスクのディスク本体の直径方向両端を押圧固定する位置に突設されている場合、前述の突条は、一対の係止爪を結ぶ線を中心として略対称な位置に形成されているのが好ましい。
本発明によれば、突条が一対の係止爪を結ぶ線を中心として略対称な位置に形成されることにより、係止爪により装着されたディスクを押さえつける力を、２つの突条が均等に分散して支持することができるため、ディスクを収納部内に一層確実に固定することができる。
【００１３】
本発明では、前述の一対の係止爪は、収納されるディスクの筐体端縁近傍に形成され、この筐体と向き合う他の筐体端縁には、該筐体を厚さ方向で挟持する係止部が設けられているのが好ましい。
本発明によれば、係止爪による押圧固定だけでなく、係止部によりディスクが挟持固定されるため、収納部に対するディスクの固定度が向上し、輸送時等にディスクが脱落することを一層確実に防止することができる。
【００１４】
本発明では、前述の係止爪のディスクとの当接面は、ディスク外側に向かうに従って、収納部底面に接近する傾斜面とされているのが好ましい。
本発明によれば、当接面が傾斜面とされることにより、ディスクの筐体の厚さに誤差があっても、筐体上面に係止爪を当接させることができるため、収納部にディスクを確実に固定することができる。
【００１５】
本発明では、収納部底面に、ディスク本体の回転中心に応じた位置に面外方向に突出し、ディスクが一対の係止爪に取り付けられると、ディスク本体を面外方向に付勢して筐体内でディスク本体が移動するのを規制する移動規制部が設けられているのが好ましい。
本発明によれば、ディスクを収納部に収納すると、移動規制部によって筐体内のディスク本体が動かなくなるので、ディスク収納体にディスクを収納した状態で振ってもディスク本体が内部で動いて騒音等が生じることもない。
【００１６】
本発明では、前述のディスクに電子機器により実行可能なプログラムが記録され、このプログラムの進行状態が別の記録媒体により保存可能とされる場合、収納部にディスクが収納される位置とは別の位置に、記録媒体を装着する記録媒体装着部が設けられているのが好ましい。
ここで、プログラムの進行状態を保存する記録媒体としては、フラッシュメモリ等の小型のストレージを採用することができる。
本発明によれば、記録媒体装着部が設けられることにより、ディスクがゲームプログラム等の場合、ゲームの進行状態を記録媒体に記録し、この記録媒体を記録媒体装着部にしておけば、ゲームに応じた記録媒体として取り扱いできるため、便利である。
【００１７】
本発明では、前記係止爪は、前記収納部の底面から立ち上がる起立部と、前記ディスクの筐体に当接する爪部と、前記起立部及び爪部の間に形成され、前記起立部から蛇行しながら前記ディスク側面に向かう蛇行部とを備え、この蛇行部の先端は、前記起立壁よりも収納部内側に突出していることが好ましい。
本発明によれば、係止爪が蛇行して形成されていることにより、ディスクを収納部の収納する際に、係止爪が撓んで、ディスクに適度な圧力をかけて係合するので、ディスクを確実に、かつ、安定して保持することができる。また、ディスクを収納体から取り出す際に、係止爪とディスクとの係合が外れると、係止爪の撓みが解消されて、ディスクが起き上がるので、より簡単に収納体からディスクを取り出すことができる。
【００１８】
本発明では、前記蓋部には、該蓋部が収納部のディスク収納用の開口を塞いだ状態において、収納部に収納されたディスクが脱落するのを防止する押さえ部が設けられ、この押さえ部は、前記蓋部底面から起立する起立部と、この起立部の先端から蓋部底面と略平行に延出された延出部と、この延出部の先端から延出部基端側へ向かってかつ蓋部底面に向かって延出する挟持部とを備えることが好ましい。
本発明によれば、蓋部が収納部のディスク収納用の開口を塞いだ状態において、仮に、係止爪とディスクとの係合が外れ、ディスクが浮き上がった場合でも、押さえ部の延出部がディスクに当接してディスクの脱落を防止できる。また、挟持部と蓋部底面との間に冊子などを挟持することができる。
【００１９】
本発明のディスク収納体は、筐体内にディスク本体を内装したディスクが収納される収納部と、この収納部のディスク収納用の開口を塞ぐ蓋部とを備えたディスク収納体であって、前記収納部は、前記ディスクの筐体の外周形状に沿って、前記収納部底面から起立し、該ディスクを支持する支持突起と、この支持突起の外側に該収納部底面から起立して形成され、該収納部に収納された前記ディスクを、該収納部の開口側から底面側に押圧固定し、かつ、該ディスクに対して内向きの付勢力を作用させる可撓性の複数の係止爪と備え、前記支持突起は、前記ディスクの外周寸法より小さく形成されていることを特徴とする。
【００２０】
本発明によれば、ディスク収納体の収納部に収納されるディスクは、該ディスクの外周形状に沿って形成された支持突起によって支持され、かつ、係止爪によって収納部底面側に向かって押圧固定される。これによれば、係止爪が設けられた箇所を除いた収納部のどこからでも、ディスク端面に指をかけることができるので、収納部に収納されたディスクの取り出しを容易にすることができる。
ここで、支持突起は、ディスクの外周寸法より小さく形成されているので、収納部に収納されたディスクを取り出す際に、該ディスク端面に指をかけやすくすることができる。
すなわち、ディスクを収納部から取り出す際には、ディスク端面からディスク底面にかけて指がかかることとなるので、ディスクを上方に向かって持ち上げやすくすることができる。従って、収納部からのディスクの取り出しを一層容易にすることができる。
また、可撓性を有する係止爪により、収納部に収納されるディスクは、収納部底面に向かう押圧力と、ディスクに対して内向きの付勢力とが作用するので、収納部に安定してディスクを収納することができる。
【００２１】
本発明では、前記支持突起は、略平行な一対の直線部と、各直線部の同じ側の一方の端部同士を連結し、該一対の直線部間を直径とする略半円形状の第１円弧状部と、この第１円弧状部の直径となる前記直線部間の中心から該第１円弧状部の端縁略中央を通る直線上で、かつ、該第１円弧状部の外側の一点を中心とする円弧状に構成され、前記一対の直線部の他方の端部同士を連結する第２円弧状部とを備え、前記複数の係止爪は、前記第１円弧状部および第２円弧状部のそれぞれの端縁略中央を結ぶ線を中心として互いに略対称に配置されていることが好ましい。
本発明によれば、それぞれの係止爪は、第１および第２円弧状部それぞれの端縁略中央を結ぶ線を中心として略対称に配置されるので、係止爪によって、収納部に収納されるディスクが挟まれるように係止され、ディスクを安定して収納部に収納することができる。従って、前述のような非対称形状のディスクであっても、安定して収納することができる。
【００２２】
本発明では、前記係止爪は、前記第１円弧状部側および第２円弧状部側に、それぞれ２箇所ずつ設けられていることが好ましい。
本発明によれば、第１円弧状部側および第２円弧状部側のそれぞれに２箇所ずつ係止爪が設けられているので、ディスクには、それぞれの係止爪から該ディスクの内向きの付勢力が作用することとなる。これによれば、ディスクに作用する付勢力を該ディスクの略中央に集中させることができるので、ディスクを一層安定して収納することができる。
また、これら係止爪は、前述のように第１円弧状部および第２円弧状部の中央を結ぶ線に対して対称に配置されているので、それぞれの係止爪から、ディスクに対して均等に付勢力を加えることができる。これにより、一層安定して収納部にディスクを収納することができる。
【００２３】
また、第１円弧状部側に設けられた２つの係止爪、および、第２円弧状部側に設けられた２つの係止爪は、第１円弧状部の端縁略中央と、第２円弧状部の端縁略中央とを結ぶ中心線に対して略対称に設けられている。すなわち、第１および第２円弧状部側に設けられたそれぞれ一対の係止爪は、中心線から略等距離に配置されている。これによれば、第１円弧状部側または第２円弧状部側のディスク端部を持ち上げて該ディスクを取り出す際に、持ち上げられる端部側の一対の係止爪によるディスクの係止が、略同時に解除されることとなる。このため、係止爪とディスクとの係合が１つずつ解除される場合に比べ、ディスクに対する局所的な負荷の増大を抑え、係止爪とディスクとの係合が解除される際の作用力を、係合が解除される２つの係止爪に対応するディスク端縁近傍に分散させることができる。従って、ディスクに対する局所的な負荷がかかることを抑えることができるとともに、ディスクの取り出しを容易に行うことができる。
【００２４】
さらに、第１円弧状部側に設けられた一対の係止爪の間の距離が、第２円弧状部側に設けられた一対の係止爪の間の距離と略同じ場合では、中心線に対する略直交方向のディスク両端縁に指をかけ、一方の端縁を持ち上げる場合でも、第１および第２円弧状部側にそれぞれ設けられた２つの係止爪のうち、該端縁近傍に設けられた２つの係止爪と、ディスクとの係合が同時に解除されることとなる。これによれば、いずれの方向からディスクを取り出す場合でも、ディスクに対する局所的な負荷の増大を抑えることができる。従って、ディスクの取出時の該ディスクに対する負荷を分散させて、該ディスクにかかる負荷を抑えることができるとともに、ディスクの取り出しを容易に行うことができる。
【００２５】
本発明では、前記第１円弧状部側に設けられた一対の係止爪との間の距離は、前記第２円弧状部側に設けられた一対の係止爪との間の距離より小さいことが好ましい。
本発明によれば、第２円弧状部側に設けられた一対の係止爪は、第１円弧状部側に設けられた一対の係止爪より、ディスクの中心線に対して外側に配置される。これによれば、ディスクを半円形状に形成された端縁部分の略中央と、円弧状に形成された端縁部分の略中央を結ぶ直線に直交し、かつ、該ディスクの中央を通る直線で該ディスクを２つの領域に分けた場合に、半円形状部分より面積の大きくなる円弧状部部分を、該第２円弧状部側に設けられた一対の係止爪が、安定して押圧固定することができる。すなわち、前述の中心線に対する直交方向を中心とした場合に、ディスクの半円形状部分と円弧状部分とは、それぞれ非対称であり、円弧状部分は、半円形状部分より面積が大きくなる。これに対し、第２円弧状部側に設けた一対の係止爪間の距離を、第１円弧状部側に設けた一対の係止爪間の距離より大きくすることにより、第１円弧状部側の係止爪間の距離より小さくした場合に比べ、ディスクの円弧状部分における中心線に直交する方向の端部近傍を係止することができ、ディスクを安定して押圧固定することができる。
【００２６】
本発明では、前記第１円弧状部側に設けられた一対の係止爪は、各係止爪と、該係止爪に装着される前記ディスクの回転中心とを結ぶ線が互いに略９０°をなす位置に配置されていることが好ましい。
本発明によれば、第１円弧状部側の２箇所に設けられた係止爪のそれぞれから、ディスクの中央に向かって付勢力を作用させることができる。ここで、第１円弧状部側に設けられた２つの係止爪が、支持突起の第１円弧状部の端縁中央寄りの位置に配置されている場合では、第１および第２円弧状部の中央を結ぶ線に直交する方向のディスクの動きを抑制する力が弱くなる。また、これら係止爪が、第１円弧状部の端縁両端寄りの位置に配置されている場合では、第１および第２円弧状部の中央を結ぶ線に平行な方向のディスクの動きを抑制する力が弱くなる。一方、本発明のように、係止爪からディスクの回転中心まで結ぶ直線が、略９０°となる位置に、それぞれの係止爪を設けることにより、直交方向および平行方向のディスクの動きを抑制することができ、安定してディスクを収納部に収納することができる。
【００２７】
また、第１円弧状部側の一対の係止爪が、中心に対して９０°をなす位置に配置され、第２円弧状部側の一対の係止爪のそれぞれが、第１円弧状部側の一対の係止爪間の距離より大きい距離となる位置に配置されている場合、それぞれの係止爪間の距離を広げることができる。これによれば、前述のディスクの中心線に対して平行および直交する方向のいずれからでもディスクを取り出しやすくすることができる。従って、収納部からのディスクの取り出しを容易に行うことができる。
【００２８】
本発明では、前記それぞれの係止爪は、該係止爪による前記ディスクの係止箇所の接線に対して略平行に配置されていることが好ましい。
本発明によれば、係止爪は、接線に対して略平行に配置されるので、ディスク端面と、それぞれの係止爪が係止するディスク端面に対向する該係止爪の面とは正対することとなる。これによれば、係止爪の係止力がディスク端縁に対して、効果的に作用することとなるので、一層安定してディスクを押圧固定することができる。
【００２９】
また、ディスクを係止する係止爪が、支持突起の第１円弧状部側および第２円弧状部側に、それぞれ２つずつ設けられ、第１円弧状部の端縁略中央と、第２円弧状部の端縁略中央とを結ぶ中心線に対して、第２円弧状部側に設けられた係止爪が、第１円弧状部側に設けられた係止爪より離れた位置に配置されている場合には、収納部に収納され、中心線を中心として対称で、かつ、この中心線に直交する線を中心として非対称なディスクを、より安定して係止することができる。また、この場合では、中心線に直交する方向のディスク端部を持ち上げて、該ディスクを収納部から取り出す際には、該ディスク端部近傍に配置され、該ディスク端面の接線に対して略平行に設けられた２つの係止爪と該ディスクとの係合が、それぞれ時間的なずれをもって解除されることとなる。これによれば、ディスクに対して外れやすい向きに設けられた一方の係止爪との係合を解除しつつ、ディスクの傾け具合に応じて、他方の係止爪との係合を解除することにより該ディスクを取り出すことができるので、小さい力で円滑にディスクをディスク収納部から取り出すことができる。従って、ディスクの取り出しを一層容易に行うことができる。
【００３０】
本発明では、前記収納部底面には、前記一対の直線部に沿って前記支持突起の外側に前記収納部底面から起立し、前記ディスクを案内する一対のディスク案内部が設けられていることが好ましい。
本発明によれば、収納部にディスクを収納する際に、該ディスクはディスク案内部により案内されることとなるので、ディスクの収納動作を簡便に行うことができる。
【００３１】
また、本発明の情報提供体は、情報処理装置に情報を提供するための情報提供体であって、情報処理装置に提供するための情報を記録したディスクと、このディスクを収容するディスク収納体とを備え、前記ディスク収納体は、前述のディスク収納体であり、前記ディスクは、前記収納部に収納されていることを特徴とする。
【００３２】
本発明によれば、前述のディスク収納体と略同様の効果を奏することができる。すなわち、ディスク収納体の収納部に収納されるディスクは、該ディスクの外周寸法より小さく形成された支持突起に載置された状態で、係止爪によって押圧固定されるので、係止爪が設けられた箇所以外の収納部のどこからでも、ディスクの端部を持ち上げやすくすることができるので、ディスクの取り出しを容易に行うことができる。
また、このような情報提供体により、ディスクと、このディスクが収納され、該ディスクの取り出しを容易に行うことのできるディスク収納体とを１つの梱包によって、使用者等に提供することができる。
【発明を実施するための最良の形態】
【００３３】
以下、本発明の実施形態を図面に基づいて説明する。
＜１．第１実施形態＞
第１実施形態を図１〜図６に示す。図１には、第１実施形態に係るディスク収納体としてのディスクケースが示されている。このディスクケースは、ゲームプログラムを記録した光ディスクや、映像情報を記録した光ディスクを収納するものである。
ディスクケースは、光ディスクＤが収納される収納部１と、この収納部１のディスク収納用の開口を塞ぐ蓋部２とを備え、収納部１及び蓋部２は略中央部分の帯状部３によって連結されている。帯状部３と収納部１及び蓋部２の境界線の部分は、ヒンジ構造となっていて、帯状部３を回動支点として、蓋部２を収納部１側に回転させて、蓋部２で収納部１を塞ぐことができる。
【００３４】
収納部１の帯状部３の連結部とは反対側の内側端縁には、２箇所の係合溝４が形成されており、蓋部２の帯状部３の連結部とは反対側の端縁には、係合突起５が形成されていて、蓋部２で収納部１を塞ぐ際には、係合溝４に係合突起５を差し込んで両者を係合させることにより、ディスクケースを閉じることができる。
また、蓋部２の係合突起５が形成される端縁に沿った端部近傍の内面には、側面Ｌ字状の爪６が２箇所に突設されており、この爪６には、ゲームプログラムの操作説明書や、映画等の冊子を挟み込めるようになっている。
【００３５】
収納部１は、光ディスクＤを収納する部分であり、該光ディスクＤが嵌め込まれるディスク収納部１０、及び外部メモリＭを収納する外部メモリ収納部２０を備えて構成される。
光ディスクＤは、図示は略したが、平面視盾型状の合成樹脂製の筐体を有し、内部に円形状のディスク本体が収納されている。内部に収納されるディスク本体は、円形状の光読取方式のディスクであり、このディスク本体には、ゲームプログラムや、映画等の種々の画像情報等を記録することができるようになっている。図示を略したが、合成樹脂製の筐体には盾の側縁部分にシャッタが設けられており、光ディスクＤが電子機器に装着されると、このシャッタ部分が開放されてディスク本体に記録された情報を光学的に読み取ることができる。
【００３６】
ディスク収納部１０は、図１に示すように、光ディスクＤの筐体形状に応じた盾型の収納空間を有し、盾型の収納空間の外周側縁を囲むように一対の起立壁１１が形成されている。この起立壁１１は、光ディスクＤの盾型形状の側縁部分に沿って延び、一方の端部が盾型形状の下側の円弧部分に一部かかり、他方の端部は盾型形状の上端縁に一部がかかるように曲折している。
このような起立壁１１は、収納部１の合成樹脂製の底面部の一部を面外方向に盛り上げたようにして構成することができ、ディスクケースを射出成形等により成形する際に、射出成形型で一体的に形成される。
【００３７】
一対の起立壁１１の略中央部には、各起立壁１１の壁側面から、収納される光ディスクＤを挟んで互いに対向して一対の係止爪１２が突出形成され、この一対の係止爪１２を結ぶ線Ａは、収納されるディスクＤのディスク本体の回転中心（後述する移動規制部１４の略中央）に沿って延びている。
係止爪１２は、収納された光ディスクＤを収納部１の開口側から底面側に押圧固定する部分であり、図２（Ａ）に示すように、ディスク収納部１０の底面１０Ａから立ち上がる基部１２１と、この基部１２１の先端を曲折した爪部１２２とを備えて構成されている。爪部１２２の光ディスクＤとの当接面は、図２（Ｂ）に示すように、爪部１２２の先端から基部１２１側に向かって次第に下方、すなわち収納部１の底面側に接近する傾斜面とされている。
【００３８】
図１に示されるように、前記の係止爪１２同士を結ぶ線Ａを挟んで互いに離れた位置には、支持突起としての支持突条部１３が収納部１の底面と一体的に形成されている。
この支持突条部１３は、ディスク収納部１０内に収納される光ディスクＤの筐体下面に当接して、光ディスクＤをディスク収納部１０の底面から浮上した状態で支持する部分であり、前記線Ａに沿って延び、この線Ａを中心として互いに線対称となるような位置に形成されている。また、この支持突条部１３は、光ディスクＤの線Ａに直交する方向の寸法を略１／３ずつに分割するような位置に形成されている。このような支持突条部１３もディスクケースの射出成形において一体形成されるものである。
【００３９】
前記線Ａが通る光ディスクＤの回転中心に応じた位置には、図３に示されるように、ディスク収納部１０の底面１０Ａから立ち上がる移動規制部１４が形成されている。この移動規制部１４は、ディスク収納部１０の底面１０Ａの一部を切り欠いて、面外方向に突出させることにより形成される。
具体的には、移動規制部１４は、図４に示されるように、ディスク収納部１０の底面１０Ａから斜め上方に立ち上がる腕部１４１と、この腕部１４１の先端から略水平状に延びる当接部１４２とを備えて構成される。
【００４０】
腕部１４１は、ディスク収納部１０の底面１０Ａの一部を切り欠いて面外方向に起立させて構成され、底面１０Ａよりも薄肉の合成樹脂であり、当接部１４２の面外方向の力に対して弾性的に撓むようになっている。
当接部１４２は、光ディスクＤがディスク収納部１０に装着されると、筐体内部に収納されたディスク本体のセンターホール部分が当接する部分である。当接部１４２がディスク本体のセンターホールに当接すると、腕部１４１が底面１０Ａ側に撓み、撓んだ腕部１４１の弾性力によってディスク本体は上側に付勢され、光ディスクＤの筐体内面に当接することにより、ディスク本体の動きが規制される。
【００４１】
このようなディスク収納部１０に隣接して形成されるメモリ収納部２０は、図１及び図５に示すように、台座２１及び係合部２２を備えて構成され、メモリ収納部２０に装着されるメモリＭは、フラッシュメモリ等が実装された回路基板を、平面視矩形状のカバーケースで覆った構成であり、電子機器との接続用の端縁は、カバーケースのコーナー部が面取りされており、誤挿入を防止するようになっている。
台座２１は、収納部１の底面を面外方向に膨出させて構成され、装着されるメモリＭの外形よりも一回り小さな支持面２１１を備えている。尚、この支持面２１１には、メモリＭの装着方向を表す矢印記号が形成されている。
【００４２】
係合部２２は、図１に示すように、装着されるメモリＭの四隅近傍にメモリＭのカバーケースの角隅部の形状に倣うようにＬ字状に形成され、収納部１の底面から立ち上がる壁状に構成されている。
この係合部２２は、図５に示すように、収納部１の底面から立ち上がる起立片２２１と、各起立片２２１においてメモリＭの長手方向に当接する面の上端に形成される係止爪２２２とを備えている。
このようなメモリ収納部２０にメモリＭを装着する場合、メモリＭの先端側を矢印記号２１２に沿ってスライドさせ、続けてメモリＭの基端側を台座２１の支持面２１１側に押さえつけると、メモリＭの該側面が係止爪２２２の部分と干渉するが、起立片２２１が外側に撓んで拡がり、メモリＭが係止爪２２２を乗り越えると、元の位置に復元し、これによりメモリ収納部２０にメモリＭが装着保持される。
【００４３】
次に、第１実施形態に係るディスクケースの作用について説明する。
まず、ディスク収納部１０に光ディスクＤを装着する場合、盾型状の筐体の円弧状部分をディスク収納部１０内に挿入し、そのままスライドさせて係止爪１２に光ディスクＤの筐体の側縁を嵌め込み、固定する。
ディスク収納部１０から光ディスクＤを取り外す場合、図６に示すように、光ディスクＤの盾型の上端縁部分を面外方向からディスク収納部１０の底面１０Ａ側に押さえつけるような力を作用させる。
この際、光ディスクＤには、支持突条部１３の上端面を支点として回転する力が作用し、係止爪１２の係止部分に起き上がるような力が生じ、これにより、光ディスクＤが係止爪１２から外れると、移動規制部１４の上方への付勢力により光ディスクＤの先端部分が起立壁１１の上端縁より上方に起き上がる。また、この時、光ディスクＤの側縁が係止爪１２に保持された状態で光ディスクＤの先端が上方に起き上がるようにしてもよい。この場合、係止爪１２と支持突条部１３とディスク収納部１０の一端が一直線に並ぶように構成すればよい。
そして、光ディスクＤの起き上がった部分をつまんでディスク収納部１０から光ディスクＤを取り外す。尚、光ディスクＤの取り出しに際しては、円弧状部分の端縁を面外方向からディスク収納部１０の底面１０Ａに向かって押さえつけても、係止爪１２同士を結ぶ線Ａを中心として対称な位置にも支持突条部１３が形成されているので、同様の手順により光ディスクＤを取り外すことができる。
【００４４】
前述のような本実施形態によれば、次のような効果がある。
起立壁１１と係止爪１２とにより、光ディスクＤが押さえつけられた状態でディスク収納部１０内に固定されるため、搬送中に動くこともなく、梱包材を別途用意することなく、光ディスクＤをディスクケース内で動かないように収納することができる。一方、光ディスクＤがディスク収納部１０の底面１０Ａから突出する支持突条部１３により支持され、この支持突条部１３が係止爪１２同士を結ぶ線から離れた位置にあるため、光ディスクＤをディスク収納部１０から取り出す際には、光ディスクＤの端縁を押さえつければ、テコの原理によって係止爪１２部分の係合が外れて簡単に取り外すことができる。
【００４５】
支持突条部１３が係止爪１２同士を結ぶ線Ａに沿って延びるように構成されているので、光ディスクＤの線Ａに直交する方向の端部のどこを押しても、係止爪１２を外す力を作用させることができ、一層簡単にディスク収納部１０から光ディスクＤを取り外すことができる。
支持突条部１３が係止爪１２同士を結ぶ線Ａを中心として略対称な位置に形成されていることにより、係止爪１２により装着された光ディスクＤを底面１０Ａ側に押さえつける力を、２つの支持突条部１３によって均等に分散して支持することができるため、光ディスクＤをディスク収納部１０内に一層確実に固定することができる。
係止爪１２の爪部１２２と光ディスクＤの筐体との当接面が、光ディスクＤの外側、すなわち、基部１２１に向かうに従って、ディスク収納部１０の底面１０Ａに接近するような傾斜面とされているので、光ディスクＤの筐体の厚さ寸法にバラツキが生じたとしても、筐体上面に爪部１２２を当接させることができ、ディスク収納部１０に光ディスクＤを確実に固定することができる。
【００４６】
ディスク収納部１０が移動規制部１４を備えていることにより、光ディスクＤをディスク収納部１０に装着すると、移動規制部１４によって、ディスク本体が筐体内面に付勢力によって押さえつけられるようになり、ディスク本体が筐体内で動くことを防止することができるため、収納状態でディスクケースを振っても、ディスク本体が動いて騒音となることがない。
ディスクケースの収納部１にメモリ収納部２０が形成されていることにより、光ディスクＤがゲームプログラム等のソフトウェアの場合、ゲームの進行状態をメモリＭに記録しておき、記録したメモリＭをメモリ収納部２０に装着しておけば、再度ゲームを実行する際、メモリ収納部２０に装着したメモリＭを用いて、簡単にゲームを再開することができ、便利である。
【００４７】
＜２．第２実施形態＞
第２実施形態を図７に示す。図７の説明にあたって、前述した構成要素と同一構成要素については、同一符号を付して、その説明を簡略又は省略する。
第１実施形態に係るディスクケースでは、ディスク収納部１０は、盾型状の光ディスクＤの側端縁に沿って延びる一対の起立壁１１を備えていた。
また、前記第１実施形態に係るディスクケースの移動規制部１４は、平面視略円形状の当接部１４２を腕部１４１が片持ち支持するような構成であった。
これに対して、第２実施形態に係るディスクケースは、図７に示すように、起立壁３１が光ディスクＤの略全周を囲むように構成されている点が相違する。
また、第２実施形態に係るディスクケースの移動規制部３４は、当接部３４２が半円形状となっていて、その各々が腕部３４１によってディスク収納部１０の底面１０Ａから面外方向に突出している点が相違する。
以下、これらの相違点について詳述する。
【００４８】
起立壁３１は、図７に示されるように、係止爪１２が突設される部分を除いて光ディスクＤの筐体形状に応じた略盾型状に突出形成されている。
この起立壁３１の上端縁は、光ディスクＤが収納されると、光ディスクＤの上面が下側となるような高さ寸法に設定されていて、一対の係止爪１２を結ぶ線Ａに直交する方向の起立壁３１の端部には、この高さ寸法よりも突出高さの少ない凹部３１１が形成されている。この凹部３１１は、光ディスクＤの側面が露出するような高さ寸法とされている。
【００４９】
移動規制部３４は、係止爪１２同士を結ぶ線に沿って、互いに向き合うように斜め上方に突出形成される一対の腕部３４１と、各腕部３４１の先端部分に設けられる半円形状の当接部３４２とを備えている。それぞれの当接部３４２の間には隙間が形成されており、光ディスクＤが挿入されて当接部３４２が下方に変形しても、それぞれの当接部３４２が干渉しないようになっている。
そして、光ディスクＤをディスク収納部１０から取り出す際には、起立壁３１の凹部３１１に応じた位置で光ディスクＤの端部を押さえつけ、第１実施形態の場合と同様に、支持突条部１３を支点として光ディスクＤを回転させて取り出すことができる。
【００５０】
このような第２実施形態に係るディスクケースによれば、前述した第１実施形態で述べた効果に加えて次のような効果がある。
すなわち、起立壁３１が光ディスクＤの略全周を囲むように構成されているため、ディスク収納部１０が補強され、収納部１全体の強度が向上し、収納後、ディスクケースに外力が作用しても変形が起こりにくくなり、内部の光ディスクＤを強固に保護することができる。
また、起立壁３１の一部に凹部３１１が形成されていることにより、光ディスクＤが挿入された状態において、光ディスクＤを取り外そうとした際、どこを押せば取り外せるのか明瞭に把握できるため、取り扱いの利便性が向上する。
【００５１】
＜３．第３実施形態＞
第３実施形態を図８に示す。
第２実施形態に係るディスクケースでは、ケース１つに光ディスクＤを１枚収納するように構成されていた。
これに対して、第３実施形態に係るディスクケースは、図８に示すように、光ディスクＤを２枚収納できるような構成とされている点が相違する。
すなわち、第３実施形態に係るディスクケースは、２つのディスク収納部１０と、１つのメモリ収納部２０とを備えて構成されている。
【００５２】
ディスク収納部１０は、それぞれが、第２実施形態と同様な光ディスクＤの略全周を囲むように形成された起立壁４１を備えて構成され、収納部１の略中央部分でそれぞれの起立壁４１同士が連結されている。
この起立壁４１のディスク収納部１０の底面からの突出寸法は、第２実施形態の場合と略同じであるが、凹部４１１の形成位置が第２実施形態の場合とは異なり、盾型形状の四隅部近傍に形成されている点が相違する。尚、凹部のディスク収納部１０の底面からの突出寸法は、第２実施形態の場合と同様であり、光ディスクＤを装着すると、光ディスクＤの筐体側面が露出するような構成となっている。
【００５３】
このような第３実施形態に係るディスクケースによれば、前述した第１実施形態及び第２実施形態で述べた効果に加えて、次のような効果がある。
すなわち、１つのディスクケースに２枚の光ディスクＤを収納するように構成したため、複数枚の光ディスクＤで構成される映画等を記録したものや、ゲームプログラムを効率的に収納することができる。
また、開閉構造は１枚収納用のディスクケースと何ら異なることがないため、光ディスク収納用のラック等にディスクケース毎収納するに際しても、ディスクケースの厚み等が異なって収納できない等の不具合が生じることもない。
【００５４】
＜４．第４実施形態＞
第４実施形態を図９および図１０に示す。
第１実施形態に係るディスクケースでは、光ディスクＤは、起立壁１１の略中央に設けられる係止爪１２によって、該光ディスクＤの中央部分でディスク収納部１０の底面１０Ａ側に付勢されることにより、ディスクケース内に固定されていた。
これに対して、第４実施形態に係るディスクケースは、図９に示されるように、ディスク収納部１０の四隅近傍に設けられる係止爪５２と、光ディスクＤを挟持する係止クリップ５３によってディスク収納部１０内に固定されている点が相違する。
【００５５】
また、前記第１実施形態に係るディスクケースでは、メモリ収納部２０は、メモリＭの四隅部分を囲む係合部２２を備え、この係合部２２を構成する起立片２２１のそれぞれに設けられ、メモリＭの側縁部分を台座２１側に押圧固定する係止爪２２２によって固定されていた。
これに対して、第４実施形態に係るディスクケースのメモリ収納部６０は、台座２１の略全周を囲む起立片６２１と、この起立片６２１の上端から内側に突出する係止爪６２２、６２３とを備えている点が相違する。
以下、これらの相違点について詳述する。
【００５６】
第４実施形態に係るディスクケースのディスク収納部１０には、図９に示されるように、収納される光ディスクＤの略４隅部分を囲むように配置される係止爪５２及び係止クリップ５３がそれぞれ２つずつ設けられている。
係止爪５２は、収納される光ディスクＤの盾型状の上端縁の端部近傍２箇所に設けられている。この係止爪５２は、図１０に示されるように、ディスク収納部１０の底面１０Ａから立ち上がる基部５２１と、この基部５２１の先端をディスク収納部１０側に曲折した爪部５２２とを備えている。尚、この係止爪５２は、第１実施形態に係る係止爪１２と同様に、ディスクケースの射出成形時に一体的に形成される。
【００５７】
係止クリップ５３は、図９に示されるように光ディスクＤの盾型状の下側円弧状部分の両端近傍２箇所に設けられている。
この係止クリップ５３は、図１０に示されるように、光ディスクＤを挟持するクリップ本体部５３１と、このクリップ本体部５３１とディスク収納部１０の底面１０Ａとを連結する連結部５３２とを備えて構成される。
クリップ本体部５３１は、対向配置される一対の挟持片５３１Ａ、５３１Ｂを備え、ディスク収納部１０の底面１０Ａに軸部５３１Ｃによって回動自在に軸支されている。
【００５８】
上側の挟持片５３１Ａの先端は、他の挟持片５３１Ａに向かって膨出しており、下側の挟持片５３１Ｂの先端は上側の挟持片５３１Ａの先端よりも延出方向に突出している。
そして、一対の挟持片５３１Ａ、５３１Ｂ間の距離は、光ディスクＤの厚さ寸法よりも若干大きくなっているが、挟持片５３１Ａの先端膨出部分は光ディスクＤの厚さ寸法よりも若干小さくなっている。
これにより、光ディスクＤをこのクリップ本体部５３１に装着する際には、挟持片５３１Ｂが光ディスクＤの厚さ方向に撓み、膨出部分が光ディスクＤの上面に当接して挟持状態を維持できるようになる。
【００５９】
連結部５３２は、下側の挟持片５３１Ｂの基端と連結される板状部５３２Ａを備え、この板状部５３２Ａは、挟持片５３１Ｂと第１ヒンジ部５３２Ｂ、底面１０Ａと第２ヒンジ部５３２Ｃによって挟持片５３１Ｂ及び底面１０Ａ間を連結している。
第１ヒンジ部５３２Ｂ及び第２ヒンジ部５３２Ｃは、底面１０Ａから挟持片５３１Ｂに至る板状体を部分的に薄肉部とすることにより構成することができ、これら第１ヒンジ部５３２Ｂ及び第２ヒンジ部５３２Ｃによって、板状部５３２Ａは底面１０Ａの面外方向に姿勢を変形することができるようになっている。
【００６０】
このような係止爪５２及び係止クリップ５３によって光ディスクＤを装着固定する場合、スキー板におけるビンディング構造のような形で固定され、具体的には次のような手順
(1)まず、光ディスクＤの先端部分を係止爪５２の下方に斜め上方から装着し、係止爪５２の基部５２１の壁面に押し当てる（図１０（Ａ））。
(2)この状態で光ディスクＤの基端部分をディスク収納部１０の底面側に下降させ、係止クリップ５３の下側の挟持片５３１Ｂの上面に光ディスクＤの下面を当接させる（図１０（Ｂ））。
【００６１】
(3)さらに、光ディスクＤを底面１０Ａ側に押し込むと、クリップ本体部５３１は、軸部５３１Ｃを中心に回転しながら、第１挟持片５３１Ａ及び第２挟持片５３１Ｂの間に光ディスクＤを挟持して、ディスク収納部１０内に光ディスクＤが装着固定される（図１０（Ｃ））。
次に、装着固定された光ディスクＤを取り外す際には、クリップ本体部５３１の第１挟持片５３１Ａを、軸部５３１Ｃの外側（光ディスクＤを挟持する部分とは反対側）を底面１０Ａ側に押して、軸部５３１Ｃを中心にクリップ本体部５３１を回動させると、係止爪５２側の支持突条部１３の上面を支点として光ディスクＤが回動して、取り外すことが可能となる。
【００６２】
図９に戻って、メモリ収納部６０は、台座２１と、係合部６２とを備えて構成され、係合部６２内部にメモリが収納されるようになっている。
係合部６２は、長方形状のメモリの短辺の一部が切り欠かれて開口され、他の部分は台座２１を囲むように連続する起立片６２１と、この起立片６２１の上端に突出形成される係止爪６２２、６２３とを備えている。
係止爪６２２は、開口されていない起立片６２１の短辺部分に形成され、メモリの先端部分を押さえつける部分である。
【００６３】
係止爪６２３は、長方形状のメモリの長辺側縁部分を押さえつける部分であり、起立片６２１の長辺側に互いに向き合うように、２箇所設けられている。
このような係合部６２にメモリを装着する場合、まずメモリの先端部分を係止爪６２２に挿入した後、メモリを台座２１側に押し付けると、係止爪６２３は起立片６２１の可撓性によって押し拡げられ、メモリを台座２１上に当接させた後、係止爪６２３が復元してメモリを押圧固定する。
【００６４】
このような第４実施形態によれば、前述した各実施形態で述べた効果に加えて、次のような効果がある。
すなわち、光ディスクＤが２箇所の係止爪５２及び２箇所の係止クリップ５３によってディスク収納部１０内に装着固定されるため、ディスク収納部１０内での固定度が向上し、輸送時等に光ディスクＤがディスク収納部１０から脱落することを一層確実に防止することができる。
また、係止クリップ５３のクリップ本体部５３１を回動させるだけで、光ディスクＤの着脱を行うことができるため、光ディスクＤの着脱を一層簡単に行うことができる上、光ディスクＤを面外方向から押すことなく、取り外せるため、光ディスクＤの保護の点からも好ましい。
【００６５】
＜５．第５実施形態＞
第５実施形態を図１１〜図１４に示す。
第１実施形態に係るディスクケースでは、係止爪１２は、光ディスクＤの形状に合わせて盾状に形成されたディスク収納部１０のそれぞれの側縁部分略中央に設けられ、これら係止爪１２によって、光ディスクＤはディスクケース内に固定されていた。
これに対して、第５実施形態に係るディスクケースでは、図１１に示されるように、ディスク収納部１０の上端縁部分中央および円弧状部分中央に設けられる係止爪１２Ａによって、光ディスクＤがディスク収納部１０内に固定される点が相違する。また、蓋部２の略中央には、ディスクケースが閉じられた場合に、ディスク収納部１０に収納された光ディスクＤが該ディスク収納部１０から脱落するのを押さえる押さえ部６１が形成されている点が相違する。また、本実施形態では、メモリ収納部は、第４実施形態のディスクケースで示したメモリ収納部６０が採用されている。
以下、これらの相違点について詳述する。
【００６６】
係止爪１２Ａは、前述の係止爪１２と同様に、収納された光ディスクＤを収納部１の開口側から底面側に押圧固定する部分である。係止爪１２Ａは、図１１に示されるように、ディスク収納部１０の盾型状の上端縁部分中央と、円弧状部分中央とに、それぞれが対向するように設けられている。すなわち、係止爪１２Ａは、盾型状に形成された光ディスクＤを線対称に区分する中心線上で、かつ、該光ディスクＤ端部と係合する位置に設けられている。また、支持突条部１３は、これら係止爪１２同士を結ぶ線に平行に設けられている。さらに、凹部３１１は、係止爪１２同士を結ぶ線と、ディスク収納部１０の中央で直交する線と起立壁３１とが交差する部分に形成されている。
【００６７】
係止爪１２Ａは、図１２に示されるように、ディスク収納部１０の底面１０Ａから立ち上がる起立部１２Ａ１と、光ディスクＤに当接される爪部１２Ａ２と、これら起立部１２Ａ１および爪部１２Ａ２との間に曲折して形成された蛇行部１２Ａ３とを備えて構成されている。このうち、爪部１２Ａ２の光ディスクＤとの当接面は、前述の係止爪１２の爪部１２２と同様に、爪部１２Ａ２の先端から蛇行部１２Ａ２側に向かって次第に下方、すなわち収納部１の底面側に接近する傾斜面とされている。
【００６８】
係止爪１２Ａの蛇行部１２Ａ３は、起立部１２Ａ１から爪部１２Ａ２にかけて断面略Ｓ字状に蛇行して形成されている。すなわち、この蛇行部１２Ａ３は、光ディスクＤがディスク収納部１０に収納された場合に、光ディスクＤの直径方向外側に向かって、ばね様に撓むように形成されている。また、この蛇行部１２Ａ３の先端は、起立壁３１よりもディスク収納部１０の中心に近い位置に突出しており、爪部１２Ａ２が光ディスクＤと係合できるように形成されている。尚、この係止爪１２は、第１実施形態に係る係止爪１２と同様に、ディスクケースの射出成形時に一体的に形成される。
【００６９】
押さえ部６１は、図１１および図１３に示されるように、蓋部２の係合突起５が形成される端縁に沿った端部近傍の内面で、かつ、前述の爪６に挟まれた位置に、側面Ｌ字状に形成されている。この押さえ部６１は、該押さえ部６１の蓋部２底面と対向する面と該蓋部２底面との距離が、爪６の蓋部２底面と対向する面と該蓋部２底面との距離よりも大きくなるように形成されている。この押さえ部６１は、爪６と同様に、該押さえ部６１と蓋部２の底面との間に挿入された操作説明書等の冊子を保持する。また、押さえ部６１は、蓋部２で収納部１を塞いだ状態で、起立壁３１によって規定されるディスク収納部１０に収納された光ディスクＤが、該ディスク収納部１０から脱落しないように、ディスク収納部１０を部分的に塞ぐ。具体的には、蓋部２の底面に対向する押さえ部６１の面とは反対側の面６１Ａが、ディスク収納部１０を部分的に覆うことにより、ディスクケース搬送時等において、光ディスクＤと係止爪１２Ａとの係合が外れ、光ディスクＤが起立壁３１上方に飛び出してディスク収納部１０から脱落しようとしても、面６１Ａがディスク収納部１０上方を部分的に覆っているので、起立壁３１によって形成され、かつ、面６１Ａによって覆われるディスク収納部１０の空間から、該光ディスクＤが脱落するのが防がれる。また、図１４に示されるように、面６１Ａが、ディスクケース閉塞時に、ディスク収納部１０に収納された光ディスクＤの上面に当接される場合には、光ディスクＤをディスク収納部１０の底面１０Ａに向かって押さえる。尚、この押さえ部６１は、ディスクケースの射出成形時に一体的に形成される。
【００７０】
このような第５実施形態に係るディスクケースによれば、前述の第１実施形態および第４実施形態で述べた効果に加えて、次のような効果がある。
すなわち、ディスク収納部１０に対向するように設けられた一対の係止爪１２Ａが光ディスクＤに係合して、該光ディスクＤをディスク収納部１０に収納する際に、係止爪１２Ａの蛇行部１２Ａ３が、係合する光ディスクＤの直径方向外側に、ばね様に撓むこととなる。これによれば、光ディスクＤに対して、底面１０Ａ側への付勢だけでなく、該光ディスクＤの直径方向内側に適度な圧力を加えることとなるので、該光ディスクＤを確実に、かつ、安定して固定することができる。
【００７１】
また、押さえ部６１の面６１Ａが、ディスクケースを閉塞した状態で、ディスク収納部１０に収納された光ディスクＤの上面を部分的に覆うこととなるので、光ディスクＤと係止爪１２Ａとの係合が外れた場合に、ディスク収納部１０から該光ディスクＤが脱落するのを防ぐことができる。すなわち、ディスクケースを閉塞した場合に、押さえ部６１の面６１Ａがディスク収納部１０上方を部分的に覆うので、起立壁３１によって規定されるディスク収納部１０の空間内に光ディスクＤを保持することができる。また、ディスクケース閉塞時に、面６１Ａが光ディスクＤの上面に当接される場合には、押さえ部６１により、該光ディスクＤが底面１０Ａに向かって押さえられることとなるので、ディスク収納部１０において光ディスクＤが不要に動くこと、および、ディスク収納部１０から光ディスクＤが脱落することを防ぐことができる。
ここで、押さえ部６１は、該押さえ部６１の蓋部２底面に対向する面と該蓋部２底面との距離が、爪６の蓋部２底面に対向する面と該蓋部２底面との距離よりも大きくなるように形成されているので、押さえ部６１は、前述のように、光ディスクＤの脱落防止および冊子の脱落防止を図りつつ、冊子の挟み込みの際に、爪６の邪魔にならないようにすることができる。
【００７２】
さらに、係止爪１２Ａが、ディスク収納部１０を形成する起立壁３１の上端縁部分中央および円弧状部分中央に配置されたことにより、係止爪１２Ａが光ディスクＤの上端縁部分中央および円弧状部分中央と係合して、該光ディスクＤを保持できるので、光ディスクＤを確実に保持・固定することができる。すなわち、盾型状に形成された光ディスクＤを線対称に区画する中心線上の該光ディスクＤの端部と係止爪１２Ａとが係合する位置に、該係止爪１２Ａが配置されたことにより、それぞれの係止爪１２Ａが、光ディスクＤの中心を保持・固定することができるので、確実に、かつ、安定して光ディスクＤを保持・固定することができる。
【００７３】
加えて、係止爪１２Ａが起立壁３１の上端縁部分中央および円弧状部分中央に配置され、これら係止爪１２Ａ同士を結ぶ線に平行に、すなわち、図１１における上下方向に、２つの支持突条部１３が形成されている。これによれば、光ディスクＤをディスク収納部１０から取り出す際には、光ディスクＤは、支持突条部１３の上端面を支点として回動することとなるので、光ディスクＤの回動方向を、帯状部３を回動支点とした収納部１に対する蓋部２の回動方向と、同じまたは逆にすることができる。このため、係止爪１２Ａが、ディスク収納部１０の側端縁部分中央に設けられている場合に比べ、閉塞されたディスクケースから光ディスクＤを取り出す際の手の動きを小さくすることができる。従って、ディスクケースからの光ディスクＤの取り出しを容易にすることができ、使い勝手の良いディスクケースを構成することができる。
【００７４】
＜６．第６実施形態＞
第６実施形態を図１５〜図１８に示す。
前述の第５実施形態に係るディスクケースでは、ケース１つに光ディスクＤを１枚収納できるように構成されていた。また、これに伴い、押さえ部６１は、蓋部２に１つ設けられる構成とされていた。
これに対して、第６実施形態に係るディスクケースは、図１５に示されるように、前述の第５実施形態に係るディスクケースのディスク収納部１０が２つ形成され、光ディスクＤを２枚収納できるように構成されている。また、この第６実施形態に係るディスクケースには、前述の爪６および押さえ部６１の機能を具備する押さえ爪７が蓋部２に形成されている点が、第５実施形態に係るディスクケースと相違する。
以下、これらの相違点について詳述する。
【００７５】
押さえ爪７は、図１６および図１７に示されるように、蓋部２の係合突起５が形成される端縁に沿った端部近傍の内面で、かつ、蓋部２で収納部１を閉塞した際に、ディスク収納部１０に対応する位置に２つ形成されている。これら押さえ爪７は、図１５〜図１７に示されるように、蓋部２底面から起立する側面略Ｌ字状の押さえ部７１と、同じく蓋部２底面から起立し、その先端で押さえ部７１の水平方向を囲むように平面略Ｕ字状に形成された押さえ部７２とを備えている。
【００７６】
押さえ部７１は、図１７に示されるように、蓋部２底面から起立する起立部７１１と、この起立部７１１先端から下方に向かって弧を描きながら帯状部３に向かって延出する曲折部７１２とを有し、全体として側面略Ｌ字状に形成されている。この曲折部７１２の蓋部２の底面と対向する面には、操作説明書等の冊子に当接される当接部７１２Ａが形成されている。また、曲折部７１２は可撓性を有しており、冊子の厚さに応じて撓むことにより、確実に冊子を保持できる。
【００７７】
押さえ部７２は、蓋部２底面から起立する起立部７２１と、この起立部７２１の先端から、押さえ部７１の水平方向の周囲を囲むように平面略Ｕ字状に形成されたカバー部７２２とを備えている。このカバー部７２２は、押さえ部７１の当接部７１２Ａとともに、押さえ爪７と蓋部２の底面との間に挿入された冊子を保持する部分である。また、蓋部２の底面に対向する面とは反対側のカバー部７２２の面７２２Ａは、収納部１が蓋部２で塞がれた際に、光ディスクＤをディスク収納部１０から脱落しないように、該ディスク収納部１０上方を部分的に塞ぐ面である。尚、押さえ部７２は、該押さえ部７２の蓋部２底面に対向する面と該蓋部２底面との距離は、押さえ部７１の当接部７１２Ａの蓋部２底面に対向する面と該蓋部２底面との距離よりも大きくなるように形成されている。これにより、押さえ部７１に冊子を挟み込む際に、押さえ部７２が邪魔にならないようにすることができる。
【００７８】
すなわち、押さえ部７２のカバー部７２２に形成された面７２２Ａは、前述の押さえ部６１と同様に、ディスクケースが閉塞された状態では、起立壁３１によって規定されるディスク収納部１０の上方を部分的に覆うことにより、係止爪１２Ａと光ディスクＤとの係合が外れ、光ディスクＤが浮き上がった場合に、該光ディスクＤを起立壁３１によって規定されるディスク収納部１０の空間内に留める。また、図１８に示されるように、ディスクケースが閉塞された状態で、ディスク収納部１０に収納された光ディスクＤの上面に、カバー部７２２の面７２２Ａが当接される場合には、該光ディスクＤをディスク収納部１０の底面１０Ａに向かって押さえつける。
尚、これら押さえ部７１，７２から構成される押さえ爪７は、ディスクケースの射出成形時に一体的に形成される。
【００７９】
このような第６実施形態に係るディスクケースによれば、前述の第５実施形態で述べた効果に加えて、次のような効果がある。
すなわち、収納部１に形成された２つのディスク収納部１０の上方を塞ぐ位置に対応する蓋部２のそれぞれの位置に、冊子等を保持する押さえ部７１と、冊子等を保持するとともに、収納部１が蓋部２で閉塞された際に、光ディスクＤをディスク収納部１０の空間内に留める押さえ部７２とを備える押さえ爪７を設けたことにより、蓋部２の構成を簡素化できる。すなわち、押さえ部７１および押さえ部７２をそれぞれ別に設けた場合、収納部１に形成されたディスク収納部１０の数に応じて押さえ部７２を設ける必要があるので、この押さえ部７２とは別に設けられる押さえ部７１とともに、蓋部２の構成要素が多くなる。これに対して、これら押さえ部７１，７２を一体化した押さえ爪７を設けることにより、蓋部２の構成要素が少なくなり、蓋部２の構成を簡素化することができる。
【００８０】
＜７．第７実施形態＞
第７実施形態を図１９〜図２５に示す。
第７実施形態では、第５実施形態のディスクケース（図１１〜図１４）に対して、次の点が異なる。
(7-1)メモリ収納部６０が省略され、その分、ディスク収納部１０が収納部１の中央部に設けられている。
(7-2)ディスク収納部１０の外周に設けられる起立壁３１の上端面が、ディスク収納部１０に収納された光ディスクＤの上面より低く形成されている。
(7-3)ディスク収納部１０の中心に設けられる移動規制部８４の構造。
(7-4)蓋部２側に設けられる押さえ部６２の構造。
【００８１】
(7-1)ディスク収納部１０は、図１９に示すように、縦長矩形状（長方形状）に成形された収納部１の略中央位置、つまり、収納部１の長辺および短辺の略中央位置に設けられている。
【００８２】
(7-2)ディスク収納部１０の外周に設けられる起立壁３１の上端面は、図２０に示すように、ディスク収納部１０に収納された光ディスクＤの上面よりも、低く形成されている。これにより、指などで、ディスク収納部１０に収納された光ディスクＤの外周縁をディスク収納部１０の底面１０Ａ側に押圧すると、その指からの押圧力が最初に光ディスクＤに作用するため、光ディスクＤは支持突条部１３を支点として傾けられる（図２１参照）。従って、ディスクの押圧側とは反対側がディスク収納部１０の底面１０Ａから離れる方向へ傾くので、掴みやすい。従って、ディスクの取り出し作業をより容易に行うことができる。
更に、押圧していくと、押圧している指が起立壁３１の上端面にも当たるため、それ以上の押圧が規制される。このとき、一対の係止爪１２Ａ，１２Ａによってディスクの直径方向両端が弾性的に挟持されているため、つまり、一対の係止爪１２Ａ，１２Ａの挟持力によってディスクがディスク収納体に保持されているから、例えば、ディスク収納体を傾いた姿勢に保ったまま、ディスクをディスク収納部１０から取り出す際にも、ディスクがディスク収納体から落下するのを防止できる。
【００８３】
(7-3)ディスク収納部１０の中心に設けられる移動規制部８４は、図２２および図２４に示すように、底面１０Ａに略Ｕ字状の切り欠き８４Ａを形成し、この内側部分を底面１０Ａの面外方向に突出させて形成されている。この移動規制部８４は、底面１０Ａから斜め上方に立ち上がる腕部８４１と、腕部８４１の先端から略水平状に延びる当接部８４２とを備える。
腕部８４１は、図２３に示すように、底面１０Ａよりも肉薄に形成され、当接部８４２の面外方向の力、すなわち、ディスク収納部１０の底面１０Ａに向かう力に対して弾性的に撓むようになっている。また、この腕部１４１の中央には、切り欠き８４Ｂが形成されている。この切り欠き８４Ｂの幅方向の大きさ、すなわち、図２２における左右方向の大きさにより、腕部８４１の幅方向の寸法が変わるので、腕部８４１の弾性力を変えることができる。このため、この切り欠き８４Ｂの大きさを調整して腕部８４１の幅方向の寸法を変えることにより、底面１０Ａと当接部８４２との距離、すなわち、当接部８４２の高さを変えることなく、当接部８４２の面外方向への付勢力を調整することができる。
【００８４】
当接部８４２は、光ディスクＤがディスク収納部１０に装着されると、筐体内部に収納されたディスク本体のセンターホール部分が当接する部分である。当接部８４２がディスク本体のセンターホールに当接すると、腕部８４１が底面１０Ａ側に撓み、撓んだ腕部８４１の弾性力によってディスク本体は上側に付勢され、光ディスクＤの筐体内面に当接することにより、ディスク本体の動きが規制される。
【００８５】
(7-4)蓋部２側に設けられる押さえ部６２は、冊子を挟み込むものであり、これとともに、蓋部２により収納部１のディスク収納用開口を閉塞した場合に、ディスク収納部１０を部分的に覆い、該ディスク収納部１０から光ディスクＤが脱落するのを防ぐものである。
この押さえ部６２は、図２４に示すように、蓋部２底面から起立する起立部６２１と、この起立部６２１の先端から蓋部２底面と略平行に帯状部３に向かって延出する延出部６２２とを備えており、側面視略Ｌ字状に形成されている。また、延出部６２２の略中央には、帯状部３側の端部から略Ｕ字状の切込みが形成され、この切り込みの内側部分が、帯状部３とは反対側に延出するとともに、蓋部２底面に向かって延出した後、その先端部分が底面の面外方向に向かって緩やかに曲折する挟持部６２３が設けられている。このような押さえ部６２は、蓋部２と一体的に形成されている。
【００８６】
延出部６２２は、可撓性を有し、蓋部２により収納部１のディスク収納用開口が閉塞された状態で、図２５に示すように、ディスク収納部１０の上方を部分的に覆うように延出して形成されている。このディスクケースの閉塞状態で、底面１０Ａに対向する延出部６２２の面６２２Ａと、光ディスクＤの上面との間には、図２５におけるクリアランスＥが生じている。
【００８７】
このような延出部６２２により、ディスクケースの閉塞状態で、係止爪１２Ａと光ディスクＤとの係合が外れ、光ディスクＤが浮き上がった場合に、延出部６２２の面６２２Ａと、光ディスクＤの上面とが当接されるので、該光ディスクＤをディスク収納部１０の領域内に留めることができる。また、延出部６２２の面６２２Ａと、光ディスクＤの上面との間にはクリアランスが生じているため、延出部６２２が光ディスクＤの上面を損傷することを防ぐことができる。さらに、光ディスクＤの厚さ寸法が大きく形成され、延出部６２２の面６２２Ａが光ディスクＤの上面に当接し、延出部６２２が図２５における上方に撓むことにより、該光ディスクＤをディスク収納部１０の底面１０Ａに向かって付勢する。これにより、光ディスクＤがディスク収納部１０に押さえられるので、光ディスクＤを安定してディスク収納部１０に収納することができる。
【００８８】
挟持部６２３は、蓋部２底面と、この底面に対向する挟持部６２３の面６２３Ａとの間に挟み込まれた冊子を挟持するための部分であり、図１９に示すように、延出部６２２の略中央に形成された平面視略Ｕ字状部分である。この挟持部６２３は、図２４に示すように、帯状部３側の端部（延出部６２２の先端）から、帯状部３とは反対側に向かって（延出部６２２の基端側に向かって）、かつ、蓋部２の底面に向かって緩やかに延出し、該挟持部６２３の蓋部２底面に対向する面が、該底面と同一平面上に位置した部分から、該底面の面外方向に向かって曲折するように形成されている。
【００８９】
この挟持部６２３は、可撓性を有しており、挟持される冊子の厚さ寸法に応じて、挟持部６２３の帯状部３側の端部を中心として矢印Ｆ方向に回動し、冊子に対して、矢印Ｆ方向とは反対方向の付勢力を作用させる。これにより、蓋部２底面および挟持部６２３の面６２３Ａとの間に、冊子を確実に挟持することができる。
【００９０】
この挟持部６２３は、蓋部２底面と、この底面に対向する延出部６２２の面６２２Ｂとの間の寸法と略一致する厚さ寸法までの冊子を挟持することが可能である。この場合、図２４における二点鎖線で示すように、挟持部６２３の面６２３Ａは、蓋部２底面に対向する延出部６２２の面６２２Ｂと同一平面上に位置することとなる。また、この場合、挟持部６２３の延出方向先端部分は、延出部６２２の面６２２Ａと同一の平面からわずかに突出する。
ここで、ディスクケースを閉塞した状態では、図２５に示すように、挟持部６２３によって挟持できる最大の厚さ寸法を有する冊子が、該挟持部６２３に挟持された場合でも、挟持部６２３の先端部分の突出がディスクケース内の部材によって妨げられることがない。逆に言えば、挟持部６２３の先端部分が延出部６２２の面６２２Ａと同一の平面から突出しても、他の部材に当接することがない。従って、このような挟持部６２３を備えた押さえ部６２を、ディスクケースに設けることにより、挟持できる冊子の厚さ寸法が、ディスクケース内の部材によって制限されることのないディスクケースを構成することができ、ディスクケース内の空間を有効活用することができる。
【００９１】
＜第８実施形態＞
第８実施形態を図２６に示す。
第８実施形態は、第７実施形態のディスクケース（図１９〜図２５）に対して、ディスク収納部１０が収納部１に２つ配置され、これに対応して、押さえ部６２も蓋部２に２つ配置されている点が異なる。これらの構成（ディスク収納部１０の数や押さえ部６２の数）以外については、第７実施形態のディスクケースと同じである。
【００９２】
＜第１〜第８実施形態に対する変形例＞
前記第１〜第８実施形態では、支持突起を一対の係止爪１２に沿って延びる支持突条部１３として構成したが本発明はこれに限られない。すなわち、例えば、点状の支持突起を光ディスクＤの外周近傍に４箇所程度設けるような構成としてもよく、図１を参照すれば、一対の係止爪１２を結ぶ線Ａに沿って延びる複数の点状の突起として構成してもよい。
【００９３】
＜第９実施形態＞
第９実施形態を図２７〜図３０に示す。
図２７には、第９実施形態に係るディスクケースＡ１が示されている。
ディスクケースＡ１は、ゲームプログラム、映像情報、音声情報等を記録した光ディスクを収納するディスク収納体である。このディスクケースＡ１は、内部に収納される光ディスクＤとともに、情報提供体を構成しており、このような情報提供体により、これらディスクケースＡ１および光ディスクＤを１つの梱包により流通させることができる。
このディスクケースＡ１は、光ディスクＤが収納される断面略凹状の収納部Ａ２と、この収納部Ａ２のディスク収納用の開口を塞ぐ、同じく断面略凹状の蓋部Ａ３とを備え、収納部Ａ２および蓋部Ａ３は、略中央部分の帯状部Ａ４によって連結されている。この帯状部Ａ４と、収納部Ａ２および蓋部Ａ３との境界部分は、ヒンジ構造となっており、帯状部Ａ４を回動支点として、蓋部Ａ３を収納部２側に回動させて、蓋部Ａ３で収納部Ａ２を塞ぐことができる。
【００９４】
収納部Ａ２における帯状部Ａ４との連結部とは反対側の端縁には、一対の挟持片Ａ５が、図２７における上下２箇所に、収納部Ａ２と一体的に形成されている。また、蓋部Ａ３における帯状部Ａ４との連結部とは反対側の端縁には、先端が帯状部Ａ４とは反対方向に鉤状に曲折した係合突起Ａ６が、図２７における上下２箇所に突設されている。そして、蓋部Ａ３で収納部Ａ２を塞ぐ際には、挟持片Ａ５の間に、対応する位置に形成された係合突起Ａ６を差し込むことにより、係合突起Ａ６が挟持片Ａ５に挟持され、ディスクケースＡ１を閉じることができる。
また、蓋部Ａ３の係合突起Ａ６が形成される端縁に沿った端部略中央の底面には、前記押さえ部６２が、蓋部Ａ３と一体的に形成されており、この押さえ部６２には、ゲームプログラムの操作説明書や、映画等の冊子を挟み込めるようになっている。なお、この押さえ部６２の構造については、第７実施形態で説明した押さえ部６２の構造と同じであるので説明を省略する。
【００９５】
収納部Ａ２には、光ディスクＤを収納するディスク収納部Ａ１０が形成されている。
ここで、光ディスクＤについて説明すると、詳しい図示を省略するが、光ディスクＤは、合成樹脂製の筐体と、この筐体内に収納される略円形状の光ディスク本体とを備えている。
このうち、光ディスク本体は、光読取方式の光ディスクであり、この光ディスク本体には、ゲームプログラム、映画等の種々の画像情報、および音楽等の音声情報等を記録することができるようになっている。
【００９６】
筐体は、図２７における二点鎖線Ｄで示すように、平面視略盾型形状に形成されてい。すなわち、筐体の外周形状は、平行な一対の直線部分と、それぞれの直線部分の一方の同じ側の端部同士を連結し、それぞれの端部間を直径とする半円形状部分と、この半円形状部分の直径の中心から半円形状部分の端縁略中央を通る直線上で、かつ、円形状部分の外側にある一点を中心として円弧状に構成され、一対の直線部分の他方の端部同士を連結する円弧状部分とを備えて構成されている。この半円形状部分の直径の中心は、ディスク本体の中心であり、かつ、筐体の中心である。
この筐体の底面には、光ディスク本体を部分的に露出させる開口が形成され、この開口を開閉するシャッタが設けられている。これら開口およびシャッタは、光ディスク本体が収納される筐体の位置に設けられ、光ディスクＤが電子機器に装着されると、このシャッタが移動して開口が開放され、この開口を介して、光ディスク本体に記録された情報を光学的に読み取ることができるように構成されている。
【００９７】
図２８には、ディスクケースＡ１の図２７におけるXXVIII−XXVIII 線断面図が示されている。
ディスク収納部Ａ１０は、光ディスクＤの筐体形状に応じた略盾型の収納空間とされており、この収納空間内に光ディスクＤが収納される。このディスク収納部Ａ１０は、図２７および図２８に示すように、光ディスクＤを支持する支持突起Ａ１２と、この支持突起Ａ１２の外周部分に配置された４つの係止爪Ａ１３と、ディスク収納部Ａ１０の中心に配置された移動規制部８４（第７実施形態と同じ移動規制部８４）と、光ディスクＤを収納する際に、該光ディスクＤを案内するガイド部としての起立壁Ａ１５とを備えている。
なお、このディスク収納部Ａ１０は、収納部Ａ２の略中央に形成され、収納部Ａ２の中央に移動規制部８４が配置されている。
【００９８】
支持突起Ａ１２は、光ディスクＤの外周形状に沿って形成されている。詳述すると、支持突起Ａ１２は、光ディスクＤの盾型の筐体の外周寸法より少し小さい形状で、ディスク収納部Ａ１０の底面Ａ１０Ａから起立して形成されている。
この支持突起Ａ１２は、光ディスクＤの外周形状に合わせて略盾型形状とされ、第１円弧状部Ａ１２１と、直線部Ａ１２２と、第２円弧状部Ａ１２３とから構成されている。詳述すると、第１円弧状部Ａ１２１は、前述の光ディスクＤの筐体の半円形状部分に対応して半円形状に形成された部分である。直線部Ａ１２２は、光ディスクＤの筐体の直線部分に対応する部分であり、第１円弧状部Ａ１２１の両端部から第１円弧状部Ａ１２１とは反対側にそれぞれ平行に延出した一対の直線部分である。第２円弧状部Ａ１２３は、光ディスクＤの筐体の円弧状部分に対応する。具体的に、第２円弧状部Ａ１２３は、第１円弧状部Ａ１２１とは反対側の直線部Ａ１２２の端部間を連結し、一対の直線部Ａ１２２の第１円弧状部Ａ１２１側の端部間の中心、すなわち、第１円弧状部Ａ１２１の直径の中心から第１円弧状部Ａ１２１の端縁中央を通る直線で、かつ、第１円弧状部Ａ１２１の外側の点Ｘを中心として円弧状に形成された部分である。
光ディスクＤは、この支持突起Ａ１２の上面部分に載置され、これにより、図２８に示すように、ディスク収納部Ａ１０において、該光ディスクＤの端縁部分が浮き上がるように支持される。
【００９９】
係止爪１Ａ３は、図２７に示すように、ディスク収納部Ａ１０に４つ設けられている。詳述すると、係止爪Ａ１３は、支持突起Ａ１２の外側で、かつ、該支持突起Ａ１２の第１円弧状部Ａ１２１側および第２円弧状部Ａ１２３側に、それぞれ２つずつ設けられている。これら係止爪Ａ１３は、ディスク収納部Ａ１０に収納された略盾型形状の光ディスクＤの端縁と係合する場合に、その係合位置における光ディスクＤの円弧の接線に対して略平行に設けられている。これにより、各係止爪Ａ１３と光ディスクＤとが係合する面積が拡大し、かつ、係止爪Ａ１３によって係止される光ディスクＤの端面と、この端面に対向する係止爪Ａ１３の面とが正対するので、各係止爪Ａ１３のディスクに対する係止力を効果的に作用させることができる。従って、係止爪Ａ１３による光ディスクＤの係止を確実に行うことができ、光ディスクＤをディスク収納部Ａ１０により確実かつ安定して留めることができる。
【０１００】
第１円弧状部Ａ１２１側に設けられた２つの係止爪Ａ１３Ａは、光ディスクＤの半円形状部分の端縁に当接され、該光ディスクＤを、ディスク収納部Ａ１０の底面Ａ１０Ａに向かって押圧固定する。
また、第２円弧状部Ａ１２３側に設けられた２つの係止爪Ａ１３Ｂは、光ディスクＤの円弧状部分の端縁に当接され、該光ディスクＤを、ディスク収納部Ａ１０の底面Ａ１０Ａに向かって押圧固定する。
これら係止爪Ａ１３Ａ，Ａ１３Ｂは可撓性を有し、ディスク収納部Ａ１０に光ディスクＤが収納されると、ディスク収納部Ａ１０の外側に撓み、該光ディスクＤに対して内向きの付勢力を作用させる。これにより、光ディスクＤを安定してディスク収納部Ａ１０に収納することができる。
【０１０１】
ここで、係止爪Ａ１３Ａは、それぞれの係止爪Ａ１３Ａの中央からディスク収納部Ａ１０の中央、すなわち、ディスク収納部Ａ１０に収納される光ディスクＤの光ディスク本体の中央に向かう直線Ａが互いに直交する位置に配置される。また、これら係止爪Ａ１３Ａは、支持突起Ａ１２の第１円弧状部Ａ１２１および第２円弧状部Ａ１２３のそれぞれの中央を結び、ディスク収納部Ａ１０の中央を通過する中心線となる直線Ｂから等距離となる位置に配置される。このため、ディスク収納部Ａ１０に収納された光ディスクＤの半円形状部分を持ち上げるようにして該光ディスクＤを取り出す際には、それぞれの係止爪Ａ１３Ａと光ディスクＤとの係合が同時に解除されることとなる。これによれば、光ディスクＤ取出時に、一方の係止爪Ａ１３Ａの係止が解除され、他方の係止爪Ａ１３Ａとの係止が解除されずに、光ディスクＤがねじれるなどして、該光ディスクＤに不要な負荷がかかることを防ぐことができる。
なお、光ディスクＤの取り出し時の操作については、後に詳述する。
【０１０２】
図２９には、係止爪Ａ１３Ａの図２７におけるIXXX−IXXX線断面図が示されている。
係止爪Ａ１３Ａは、収納部Ａ２の底面から起立する起立部Ａ１３１と、この起立部Ａ１３１の先端で、ディスク収納部Ａ１０の略中央に向かって突出し、ディスク収納部Ａ１０に収納された光ディスクＤを係止する係止部Ａ１３２とを備え、これらが収納部Ａ２に一体的に形成されている。この係止爪Ａ１３Ａは、突出方向の寸法が、光ディスクＤの厚さ寸法より大きく形成されている。
【０１０３】
起立部Ａ１３１は、ディスク収納部Ａ１０の中央に向かって若干傾斜して形成されている。このため、ディスク収納部Ａ１０に光ディスクＤを収納した場合では、起立部Ａ１３１は、外側に撓むこととなり、光ディスクＤに付勢力を作用させる。
係止部Ａ１３２は、ディスク収納部Ａ１０の底面Ａ１０Ａからの位置が、ディスク収納部Ａ１０に収納された光ディスクＤの上面より高い位置に形成されている。この係止部Ａ１３２には、上端部分が上端に向かうにしたがってディスク収納部Ａ１０から遠ざかるように傾斜した上方傾斜部Ａ１３２Ａと、下端部分が下端に向かうにしたがってディスク収納部Ａ１０から遠ざかるように傾斜した下方傾斜部Ａ１３２Ｂとが形成されている。このうち、下方傾斜部Ａ１３２Ｂは、ディスク収納部Ａ１０に収納された光ディスクＤの端縁に当接され、該光ディスクＤをディスク収納部Ａ１０の底面Ａ１０Ａに向かって、すなわち、図２９における下方に向かって押圧固定する。これにより、光ディスクＤが係止され、該光ディスクＤの揺動が抑制される。
【０１０４】
前述のように、係止爪Ａ１３Ａは、可撓性を有し、起立部Ａ１３１がディスク収納部Ａ１０に向かって傾斜して形成されているので、該係止爪Ａ１３Ａは、ディスク収納部Ａ１０に光ディスクＤを収納する際に、ディスク収納部Ａ１０の外側に向かって撓むこととなる。このため、係止爪Ａ１３Ａは、該光ディスクＤがディスク収納部Ａ１０に収納されると、係止爪Ａ１３Ａの形成位置から外側に撓んだ状態で形態が維持される。これにより、光ディスクＤに対して内向きの付勢力が作用することとなるので、光ディスクＤを安定してディスク収納部Ａ１０に収納することができる。
また、係止部Ａ１３２の下端部分に形成された下方傾斜部Ａ１３２Ｂは、下方に向かうにしたがって、ディスク収納部Ａ１０から遠ざかるように傾斜して形成されている。これによれば、ディスク収納部Ａ１０に収納される光ディスクＤの厚さ寸法に多少のばらつきがあっても、下方傾斜部Ａ１３２Ｂに光ディスクＤの端部が当接された場合に、下方傾斜部Ａ１３２Ｂの傾斜に応じて係止爪Ａ１３Ａがディスク収納部Ａ１０の外側に向かって撓むことにより、該光ディスクＤの端縁に、確実に押圧力および付勢力を作用させることができる。従って、一層確実に光ディスクＤを係止することができる。
【０１０５】
第２円弧状部Ａ１２３側に配置されたそれぞれの係止爪Ａ１３Ｂは、前述の直線Ｂから等距離となる位置に配置されている。また、それぞれの係止爪Ａ１３Ｂから直線Ｂまでの距離は、第１円弧状部Ａ１２１側に配置された係止爪Ａ１３Ａから直線Ｂまでの距離より大きいとされている。詳述すると、図２７に示すように、直線Ｂと平行で、かつ、係止爪Ａ１３Ｂと光ディスクＤとの係合箇所の中心を通る直線Ｃ１と、同じく直線Ｂと平行で、かつ、係止爪Ａ１３Ａと光ディスクＤとの当接箇所の中心を通る直線Ｃ２との間には、図２７中Ｙで示す間隔が生じるように、係止爪Ａ１３Ｂは、係止爪Ａ１３Ａより直線Ｂから離れた位置に配置されている。これによれば、直線Ｂに直交し、光ディスクＤの中心を通る直線Ｃ３を中心として非対称な光ディスクＤを確実に係止することができる。すなわち、係止爪Ａ１３Ａより直線Ｂから離れた位置に係止爪Ａ１３Ｂを配置し、これら係止爪Ａ１３Ｂが、光ディスクＤの直線Ｂの直交方向両端部近傍を係止することにより、光ディスクＤの円弧状部分の直線Ｃ３に平行な方向の両端部が安定化するので、光ディスクＤを安定して係止することができる。
なお、係止爪Ａ１３Ｂは、係止爪Ａ１３Ａと同様の構造であるので、説明を省略する。
【０１０６】
このような係止爪Ａ１３Ａ，Ａ１３Ｂの配置位置によれば、それぞれの係止爪Ａ１３Ａ，Ａ１３Ｂが光ディスクＤの四隅近傍に配置されることとなるので、該光ディスクＤを四隅以外の部分で係止する場合に比べ、小さな押圧力および付勢力で、該光ディスクＤを確実に、かつ、安定して係止することができる。
また、２つの係止爪Ａ１３Ｂは、直線Ｂに対してそれぞれ等距離に配置されているので、ディスク収納部Ａ１０に収納された光ディスクＤの円弧状部分の中央を持ち上げるようにして該光ディスクＤを取り出す場合、該光ディスクＤの円弧状部分に当接される２つの係止爪１３Ｂと該光ディスクＤとの係合が同時に解除されることとなる。このため、前述の係止爪１３Ａの場合と同様に、光ディスクＤの取出時に該光ディスクＤに不要な負荷がかかることを防ぐことができる。
【０１０７】
さらに、それぞれの係止爪Ａ１３Ａがディスク収納部Ａ１０の中心に対して９０°の角度となるようにされているので、一対の係止爪Ａ１３Ａの間には、光ディスクＤの外周のおよそ１／４の間隔があいている。また、それぞれの係止爪Ａ１３Ｂと直線Ｂとの距離は、それぞれの係止爪Ａ１３Ａと直線Ｂとの距離より大きいとされているので、係止爪Ａ１３Ｂの間および係止爪Ａ１３Ａ，Ａ１３Ｂの間についても、光ディスクＤの外周のおよそ１／４の間隔があくこととなる。これによれば、どの方向からも光ディスクＤをディスク収納部Ａ１０から容易に取り出すことができる。従って、光ディスクＤの取り出しを一層容易に行うことができる。
【０１０８】
起立壁Ａ１５は、ディスク収納部Ａ１０に光ディスクＤを収納する際に、該光ディスクＤをディスク収納部Ａ１０に案内するディスク案内部であり、収納される光ディスクＤの直線部分の端面に当接する位置に設けられている。この起立壁Ａ１５は、収納部Ａ２の底面から起立して形成されている。また、光ディスクＤに対向する起立壁Ａ１５の面は、先端部分から基端部分に向かうにしたがって、ディスク収納部Ａ１０の中央に近づくように傾斜して形成されている。これにより、光ディスクＤを起立壁Ａ１５の傾斜に沿ってディスク収納部Ａ１０に収納できるので、光ディスクＤの収納操作を容易にすることができる。また、起立壁Ａ１５は、可撓性を有しており、ディスク収納部Ａ１０に光ディスクＤが収納される際に、光ディスクＤの直線部に当接し、ディスク収納部Ａ１０外側に撓むこととなる。これにより、起立壁Ａ１５は、光ディスクＤに対して、該光デイスクＤの内向きの付勢力を作用させるので、ディスク収納部Ａ１０に収納された光ディスクＤの揺動を抑えることができる。
【０１０９】
以下に、ディスク収納部Ａ１０から光ディスクＤを取り出す際の操作について詳述する。  ディスク収納部Ａ１０に収納された光ディスクＤを取り出す際には、まず、光ディスクＤの中央を中心として略対称位置の両端縁に、親指と、人差指または中指とをかける。この状態から、一方の端縁を、ディスク収納部Ａ１０の底面Ａ１０Ａの面外方向に持ち上げると、他方の端縁近傍の支持突起Ａ１２を支点として光ディスクＤが回動する。これにより、係止爪Ａ１３Ａ，Ａ１３Ｂと光ディスクＤとの係合が解除され、該光ディスクＤをディスク収納部Ａ１０から取り出すことができる。ここで、支持突起Ａ１２は、該支持突起によって支持される光ディスクＤの外周形状よりも小さく形成されているので、光ディスクＤの端縁は、ディスク収納部Ａ１０の底面Ａ１０Ａから浮いた状態となっている。これによれば、光ディスクＤの端面および底面に指をかけやすくすることができるので、ディスク収納部Ａ１０から光ディスクＤを容易に取り出すことができる。
【０１１０】
以上のような、本発明のディスクケースＡ１によれば、以下のような効果を奏することができる。
(9-1)ディスクケースＡ１に形成されたディスク収納部Ａ１０に光ディスクＤを収納する際には、光ディスクＤは、該光ディスクＤの外周形状と相似し、かつ、該光ディスクＤの外周寸法より小さく形成された支持突起Ａ１２に載置され、該支持突起Ａ１２によって支持される。これによれば、支持突起Ａ１２が光ディスクＤの外周形状に対して相似形に形成されているので、光ディスクＤをディスク収納部Ａ１０に収納する場合、該光ディスクＤの収納方向、すなわち、図２７に示すディスク収納部Ａ１０における該光ディスクＤの上下方向を、使用者に容易に認識させることができ、光ディスクＤの収納方向を間違えにくくすることができる。
【０１１１】
(9-2)光ディスクＤは、該光ディスクＤの半円形状部分および円弧状部分の端縁に当接される係止爪Ａ１３（Ａ１３Ａ，Ａ１３Ｂ）によって、ディスク収納部Ａ１０に係止される。これによれば、係止爪Ａ１３が当接される端縁以外の光ディスクＤの端縁に指をかけて、該光ディスクＤをディスク収納部Ａ１０から取り出すことができる。ここで、支持突起Ａ１２は、光ディスクＤの外周寸法より小さく形成され、この支持突起Ａ１２に光ディスクＤは載置されるので、該支持突起Ａ１２により、光ディスクＤの端縁部分は、ディスク収納部Ａ１０の底面Ａ１０Ａから浮き上がるように支持される。これによれば、光ディスクＤを取り出す際には、該光ディスクＤの端面から底面にかけて指をかけることができるので、光ディスクＤをディスク収納部Ａ１０の底面Ａ１０Ａの面外方向に持ち上げやすくすることができる。従って、ディスク収納部Ａ１０からの光ディスクＤの取り出しを容易に行うことができる。
【０１１２】
(9-3)光ディスクＤを係止する係止爪Ａ１３（Ａ１３Ａ，Ａ１３Ｂ）は可撓性を有するので、光ディスクＤがディスク収納部Ａ１０に収納される際には、該ディスク収納部Ａ１０の外側に撓むことにより、光ディスクＤに内向きの付勢力を作用させることができる。これによれば、係止爪Ａ１３に形成された下方傾斜部Ａ１３２Ｂによるディスク収納部Ａ１０の底面Ａ１０Ａに向かって作用する押圧力だけでなく、内向きの付勢力を光ディスクに作用させることができる。従って、光ディスクＤを安定してディスク収納部Ａ１０に収納することができる。
【０１１３】
(9-4)支持突起Ａ１２の第１円弧状部Ａ１２１および第２円弧状部Ａ１２３の外側には、それぞれ２つの係止爪Ａ１３Ａ，Ａ１３Ｂが設けられている。これによれば、それぞれの係止爪Ａ１３Ａ，Ａ１３Ｂから光ディスクＤの略中央に向かって内向きの付勢力を作用させることができるので、光ディスクＤを安定してディスク収納部Ａ１０に収納することができる。
【０１１４】
(9-5)支持突起Ａ１２の第１円弧状部Ａ１２１側に配置された一対の係止爪Ａ１３Ａと第２円弧状部Ａ１２３側に配置された一対の係止爪Ａ１３Ｂは、該支持突起Ａ１２の第１円弧状部Ａ１２１および第２円弧状部Ａ１２３のそれぞれの中央を結ぶ直線Ｂから、それぞれ等距離に配置されている。すなわち、第１円弧状部Ａ１２１側に設けられた２つの係止爪Ａ１３Ａは、それぞれ直線Ｂから等距離に位置し、また、第２円弧状部分Ａ１２３側に設けられた２つの係止爪Ａ１３Ｂは、それぞれ直線Ｂから等距離に位置している。これによれば、光ディスクＤの半円形状部分および円弧状部分のいずれかの端部を持ち上げて、該光ディスクＤをディスク収納部Ａ１０から取り出す際に、該端部近傍に設けられた一対の係止爪Ａ１３Ａまたは係止爪Ａ１３Ｂと光ディスクＤとの係合が、同時に解除されることとなるので、光ディスクＤに局所的な負荷がかかることを抑えることができるとともに、該光ディスクＤの取り出しを容易に行うことができる。また、それぞれの係止爪Ａ１３Ａ，Ａ１３Ｂから、光ディスクＤの半円形状部分および円弧状部分に均等に係止力を作用させることができるので、安定して光ディスクＤを収納することができる。
【０１１５】
(9-6)第２円弧状部Ａ１２３側の一対の係止爪Ａ１３Ｂは、第１円弧状部Ａ１２１側の一対の係止爪Ａ１３Ａより、中心線となる直線Ｂから離れた位置に配置されている。これによれば、一対の係止爪Ａ１３Ｂは、直線Ｃ３を中心として非対称に形成された光ディスクＤの円弧状部分の両端部を係止することとなるので、光ディスクＤを一層安定して押圧固定することができる。
【０１１６】
(9-7)ディスク収納部Ａ１０の第１円弧状部Ａ１２１に設けられた２つの係止爪Ａ１３Ａは、それぞれの係止爪Ａ１３Ａの中央と、ディスク収納部Ａ１０の中央、すなわち、収納される光ディスクＤのディスク本体の回転中心とを結ぶ直線Ａが、互いに直交する位置に設けられている。これによれば、係止爪Ａ１３Ａからの押圧力および付勢力を、光ディスクＤに効率良く作用させることができる。従って、ディスク収納部Ａ１０に収納された光ディスクＤの揺動を抑制して、該光ディスクＤを安定して収納することができる。
【０１１７】
(9-8)また、係止爪Ａ１３Ａは、ディスク収納部Ａ１０の中心に対して互いに９０°をなす第１円弧状部Ａ１２１側に配置されており、また、第２円弧状部Ａ１２３側に配置された係止爪Ａ１３Ｂは、直線Ｂに対して、係止爪Ａ１３Ａより離れた位置に配置されている。これによれば、各係止爪Ａ１３Ａ，Ａ１３Ｂは、光ディスクＤの四隅部分を係止することとなるので、ディスク収納部Ａ１０における光ディスクＤの揺動を効果的に抑えることができ、光ディスクＤを一層安定してディスク収納部Ａ１０に収納することができる。
また、それぞれの係止爪Ａ１３Ａ，Ａ１３Ｂの光ディスクＤの外周における間隔は、光ディスクＤの全体に対するおよそ１／４ずつとなるので、光ディスクＤをいずれの方向からも容易に取り出すことができる。
さらに、このような係止爪Ａ１３Ａ，Ａ１３Ｂの配置位置により、光ディスクＤの向きを逆にして、係止爪Ａ１３Ａが光ディスクＤの円弧状部分を係止し、係止爪Ａ１３Ｂが該光ディスクＤの半円形状部分を係止するように光ディスクＤをディスク収納部Ａ１０に配置した場合では、光ディスクＤの外周形状と係止爪Ａ１３Ａ，Ａ１３Ｂの配置位置が合致しないため、該光ディスクＤを係止しないようにすることができる。従って、光ディスクＤが誤って逆向きにディスク収納部Ａ１０に収納されないようにすることができる。
【０１１８】
(9-9)係止爪Ａ１３Ａ，Ａ１３Ｂは、各係止爪Ａ１３Ａ，Ａ１３Ｂと光ディスクＤとの係合箇所における接線と平行に配置されている。これによれば、各係止爪Ａ１３Ａ，Ａ１３Ｂと、光ディスクＤ端面とは正対することとなるので、各係止爪Ａ１３Ａ，Ａ１３Ｂによる係止力を光ディスクＤ端面に効率良く作用させることができる。従って、光ディスクＤを一層安定して押圧固定することができる。
【０１１９】
(9-10)ディスク収納部Ａ１０には、支持突起１２の直線部Ａ１２２の外側で、かつ、収納される光ディスクの直線部に対向する位置に、収納部Ａ２底面から起立する起立壁Ａ１５が形成されている。また、この起立壁Ａ１５は、ディスク収納部Ａ１０側の面が、先端から基端に向かうにしたがって、ディスク収納部Ａ１０に近づくように傾斜して形成されている。これによれば、ディスク収納部Ａ１０に光ディスクＤを収納する際に、該光ディスクＤは起立壁Ａ１５によって、ディスク収納部Ａ１０に案内されることとなるので、光ディスクＤの収納動作を簡便に行うことができる。
また、起立壁Ａ１５は、支持突起Ａ１２の直線部Ａ１２２の外側に、該直線部Ａ１２２の形成方向に沿って形成されているので、この支持突起Ａ１２に載置される光ディスクＤの方向、すなわち、光ディスクＤのディスク収納部Ａ１０における方向を、使用者に一層認識させやすくすることができる。
さらに、起立壁Ａ１５は、光ディスクＤの端面に当接されるので、光ディスクＤのディスク収納部Ａ１０における揺動を抑えることができる。従って、より一層安定して光ディスクＤをディスク収納部Ａ１０に収納することができる。
【０１２０】
(9-11)ディスクケースＡ１および光ディスクＤは、情報提供体を構成している。これによれば、光ディスクＤと、この光ディスクＤの外周形状に応じて形成された支持突起Ａ１２等により構成され、該光ディスクＤの収納に好適なディスクケースＡ１とを、１つの情報提供として流通させることができ、この情報提供体を使用者等に提供することができる。
【０１２１】
＜第９実施形態に対する変形例＞
第９実施形態では、ディスクケースＡ１には、１つのディスク収納部Ａ１０が形成されるとしたが、本発明はこれに限らず、１つのディスクケースに複数のディスク収納部Ａ１０を設け、それらに対応する数の光ディスクＤを収納できるように構成してもよい。
【０１２２】
図３１には、２つのディスク収納部Ａ１０が形成されたディスクケースＡ１Ａが示されている。
ディスクケースＡ１Ａは、収納部Ａ２の中心に対して対称位置に２つのディスク収納部Ａ１０が形成され、２つの光ディスクＤを収納可能に形成されている。また、ディスクケースＡ１Ａの閉塞時に、ディスク収納部Ａ１０を部分的に覆う押さえ部６２が、該ディスク収納部Ａ１０に対応する蓋部Ａ３の端縁の位置に、２つ形成されている。
なお、ディスクケースＡ１Ａの支持突起Ａ１２は、それぞれ、図３１における上方に第１円弧状部Ａ１２１を形成し、下方に第２円弧状部Ａ１２３を形成したが、一方をこれとは反対向きに形成してもよく、両方を反対向きにしてもよい。
【０１２３】
このようなディスクケースＡ１Ａによれば、１つのディスクケースＡ１Ａで２枚の光ディスクＤを収納できる。これにより、収納する光ディスクＤの枚数に対するディスクケースの数の割合が小さくすることができ、複数枚の光ディスクＤで構成される映画等を記録したものや、ゲームプログラムを効率的に収納することができる。また、ディスクケースＡ１Ａは、ディスクケースＡ１と比べて、形状、大きさ、および開閉構造に変化が無いので、ディスクケース内の空間を有効に利用することができる。
【０１２４】
前記実施形態では、係止爪Ａ１３Ａは、それぞれの係止爪Ａ１３Ａの中央から、ディスク収納部Ａ１０の中央、すなわち、該ディスク収納部Ａ１０に収納される光ディスクＤのディスク本体の回転中心までの直線Ａが直交する位置に配置され、係止爪Ａ１３Ｂは、係止爪Ａ１３Ａより、支持突起Ａ１２の第１および第２円弧状部Ａ１２１，Ａ１２３の端縁中央を結ぶ直線Ｂから離れた位置に配置されるとしたが、本発明はこれに限らない。例えば、係止爪Ａ１３Ａと直線Ｂとの距離が、係止爪Ａ１３Ｂと直線Ｂとの距離が一致する位置に、それぞれ係止爪Ａ１３Ａ，Ａ１３Ｂを配置してもよい。このような場合では、光ディスクＤをディスク収納部Ａ１０のいずれの方向から取り外す場合であっても、持ち上げられる端部近傍に配置された２つの係止爪Ａ１３Ａ，Ａ１３Ｂと光ディスクＤとの係合が同時に解除されることとなる。従って、光ディスクの形状によっては、光ディスクに局所的な負荷がかかることを抑えることができるとともに、容易に光ディスクをディスク収納部から取り出すことができる。
【０１２５】
また、係止爪Ａ１３Ａのそれぞれから、ディスク収納部Ａ１０中央に向かう直線Ａの交差角は、９０°より小さくても大きくてもよい。また、ディスク収納部Ａ１０における支持突起Ａ１２の第１円弧状部Ａ１２１側の中央と、第２円弧状部Ａ１２３側の中央に１つずつ設けてもよい。
なお、前記実施形態の位置に係止爪Ａ１３Ａ，Ａ１３Ｂを配置すれば、それぞれの係止爪Ａ１３Ａ，Ａ１３Ｂからの付勢力が、光ディスクＤに対して効率的に作用するので、安定して光ディスクＤをディスク収納部Ａ１０に収納することができるほか、該ディスク収納部Ａ１０からの光ディスクＤの取り出しを容易に行うことができる。
【０１２６】
前記実施形態では、係止爪Ａ１３（Ａ１３Ａ，Ａ１３Ｂ）は、収納部Ａ２から傾斜して起立する構成としたが、本発明はこれに限らず、光ディスクＤを係止可能な構成であればよい。例えば、係止爪Ａ１３Ａ，Ａ１３Ｂの代わりに、図３２に示すように、起立部Ａ１３１と係止部Ａ１３２とを側面視略Ｓ字状の可撓性を有する蛇行部Ａ１３３により連結した係止爪Ａ１３Ｃを採用してもよい。このような係止爪Ａ１３Ｃによれば、蛇行部Ａ１３３がばね様に撓むことにより、光ディスクＤに対する付勢力が、適度な圧力で作用することとなるので、光ディスクＤを確実に、かつ、安定して固定することができる。
なお、係止爪１２Ａに設けられた蛇行部１２Ａ３は、断面略Ｓ字状に形成したが、この蛇行回数に限らず、複数回蛇行した蛇行部を備える構成としてもよい。
【０１２７】
＜第１〜第９実施形態に対する変形例＞
前記各実施形態では、光ディスクＤのディスク本体の回転中心部分に移動規制部１４、３４、８４を設ける構成としていたが、本発明はこれに限られず、移動規制部１４、３４、８４がないものであってもよい。但し、移動規制部はディスク本体を上側に付勢し、係止爪はディスクの筐体を下側に付勢しているため、両者が相まってディスクの固定度を上げているという点では、移動規制部を設けておいた方が好ましい。
【０１２８】
また、一対の係止爪１２，１２Ａの起立壁１１，３１が、それぞれの係止爪１２，１２Ａが対向するように配置されるのであれば、これら一対の係止爪１２，１２Ａの形成位置は問わない。また、係止爪５２および係止クリップ５３についても同様である。また、これに伴い、支持突条部１３の形成方向および起立壁３１の凹部３１１の形成位置についても適宜決めてよい。
また、押さえ部６１、６２および押さえ爪７は、蓋部２の係合突起５が形成される端縁近傍に沿った端部近傍の面に形成されるとしたが、本発明はこれに限られず、他の場所であってもよい。すなわち、蓋部２の底面で、かつ、収納部１を蓋部２が塞ぐ際に、押さえ部６１、６２および押さえ爪７の押さえ部７２が、ディスク収納部１０に収納された光ディスクＤの少なくとも一部を覆う位置であれば、押さえ部６１、６２および押さえ爪７の形成位置は問わない。例えば、帯状部３に近接する蓋部２の端部近傍に、これら押さえ部６１、６２および押さえ爪７が形成されていてもよい。さらに、押さえ部６１、６２および押さえ爪７の形状についても、本発明の形状に限定されず、適宜変更してもよい。
【０１２９】
さらに、押さえ部６１、６２の面６１Ａ、６２Ａおよび押さえ爪７に形成された押さえ部７２の面７２２Ａは、ディスクケースが閉塞された状態で、すなわち、収納部１が蓋部２で閉塞された状態で、ディスク収納部１０に収納された光ディスクＤに当接される場合があるとしたが、本発明はこれに限らない。すなわち、これら面６１Ａ，６２Ａ，７２２Ａは、必ずしも光ディスクＤに当接されなくともよく、光ディスクＤと係止爪１２Ａとの係合が外れた場合に、該光ディスクＤが起立壁３１により規定されるディスク収納部１０から脱落しない程度に、ディスク収納部１０の上方を覆うように形成されていればよい。
その他、本発明の実施の際の具体的な構造及び形状等は、本発明の目的を達成できる範囲で他の構造等としてもよい。
【０１３０】
前記実施形態では、光ディスクＤは、略盾型形状を有するとしたが、他の形状を有しているものでもよい。例えば、円形状および矩形状の光ディスクでもよい。また、光ディスクに限らず、光磁気ディスク、磁気ディスク、レコード等を収納するケースとして、本発明を採用してもよい。
【産業上の利用可能性】
【０１３１】
本発明は、映画等を記録した映像記録媒体や、ゲームプログラム等を記録した記録媒体において、光磁気記録形式の記録媒体を収納するケースとして好適に用いることができる。
【図面の簡単な説明】
【０１３２】
【図１】本発明の第１実施形態に係るディスク収納体の構造を表す平面図。
【図２】前記実施形態における図１のII−II線断面図、及び要部断面図。
【図３】前記実施形態における図１のIII−III線断面図。
【図４】前記実施形態における図３の要部断面図。
【図５】前記実施形態における図３の要部断面図。
【図６】前記実施形態における作用を説明するための断面図。
【図７】本発明の第２実施形態に係るディスク収納体の構造を表す平面図。
【図８】本発明の第３実施形態に係るディスク収納体の構造を表す平面図。
【図９】本発明の第４実施形態に係るディスク収納体の構造を表す平面図。
【図１０】前記実施形態におけるディスクの取り付け構造を表す断面図。
【図１１】本発明の第５実施形態に係るディスク収納体の構造を表す平面図。
【図１２】前記実施形態における図１１のXII−XII線断面図。
【図１３】前記実施形態における図１１のXIII−XIII線断面図。
【図１４】前記実施形態における閉塞されたディスクケースの図１１のXIII−XIII線断面図。
【図１５】本発明の第６実施形態に係るディスク収納体の構造を示す平面図。
【図１６】前記実施形態における図１５のXVI−XVI線断面図。
【図１７】前記実施形態における図１６の部分拡大図。
【図１８】前記実施形態における閉塞されたディスクケースの図１５のXVI−XVI線断面図。
【図１９】本発明の第７実施形態に係るディスク収納体の構造を表す平面図。
【図２０】前記実施形態における図１９のXX−XX線断面図。
【図２１】前記実施形態において、ディスクケースを取り出す際の様子を示す断面図。
【図２２】前記実施形態における移動規制部を示す拡大図。
【図２３】前記実施形態における図２２のXXIII−XXIII 線断面図。
【図２４】前記実施形態における押さえ部の部分拡大図。
【図２５】前記実施形態における閉塞されたディスクケースの断面図。
【図２６】本発明の第８実施形態に係るディスクケースの構造を表す平面図。
【図２７】本発明の第９実施形態に係るディスクケースの構造を表す平面図。
【図２８】前記実施形態における図２７のXXVIII−XXVIII 線断面図。
【図２９】前記実施形態における図２７のIXXX−IXXX 線断面図。
【図３０】前記実施形態における閉塞されたディスクケースの断面図。
【図３１】前記実施形態におけるディスクケースの変形を示す平面図。
【図３２】前記実施形態における係止爪の変形を示す断面図。
【符号の説明】
【０１３３】
１…収納部、２…蓋部、１１、３１、４１…起立壁、１２、１２Ａ…係止爪、１２Ａ１…起立部、１２Ａ２…爪部、１２Ａ３…蛇行部、１３…支持突条部（支持突起）、１４、３４…移動規制部、２０…メモリ収納部（記録媒体装着部）。
Ａ１…ディスクケース（ディスク収納体）、Ａ２…収納部、Ａ３…蓋部、Ａ１２…支持突起、Ａ１２１…第１円弧状部、Ａ１２２…直線部、Ａ１２３…第２円弧状部、Ａ１３（Ａ１３Ａ，Ａ１３Ｂ）…係止爪、Ａ１５…起立壁（ディスク案内部）、Ｄ…光ディスク（ディスク）。
６２…押さえ部、６２１…起立部、６２２…延出部、６２３…挟持部。
【図１】
2005350140.tif 000003
【図２】
2005350140.tif 000004
【図３】
2005350140.tif 000005
【図４】
2005350140.tif 000006
【図５】
2005350140.tif 000007
【図６】
2005350140.tif 000008
【図７】
2005350140.tif 000009
【図８】
2005350140.tif 000010
【図９】
2005350140.tif 000011
【図１０】
2005350140.tif 000012
【図１１】
2005350140.tif 000013
【図１２】
2005350140.tif 000014
【図１３】
2005350140.tif 000015
【図１４】
2005350140.tif 000016
【図１５】
2005350140.tif 000017
【図１６】
2005350140.tif 000018
【図１７】
2005350140.tif 000019
【図１８】
2005350140.tif 000020
【図１９】
2005350140.tif 000021
【図２０】
2005350140.tif 000022
【図２１】
2005350140.tif 000023
【図２２】
2005350140.tif 000024
【図２３】
2005350140.tif 000025
【図２４】
2005350140.tif 000026
【図２５】
2005350140.tif 000027
【図２６】
2005350140.tif 000028
【図２７】
2005350140.tif 000029
【図２８】
2005350140.tif 000030
【図２９】
2005350140.tif 000031
【図３０】
2005350140.tif 000032
【図３１】
2005350140.tif 000033
【図３２】
2005350140.tif 000034